(57)【特許請求の範囲】
【請求項１】
印刷物に応じた所定のプロファイルを取得するステップと、
前記印刷物に保護膜を被覆する前後にわたるガマットの変化情報を取得するステップと、
取得された前記所定のプロファイル及び前記変化情報に基づいて、前記保護膜を被覆しないで得られる無被覆印刷物又は前記保護膜を被覆して得られる保護膜付印刷物のうち少なくとも一方に応じた色変換用プロファイルを生成する生成ステップと、
前記所定のプロファイルを用いて印刷し得られる前記保護膜付印刷物のガマットが、前記無被覆印刷物のガマットに一致するように、生成された前記色変換用プロファイルを用いて、前記無被覆印刷物又は前記保護膜付印刷物のうち少なくとも一方の色変換処理を行う色変換ステップと
をコンピュータに実行させることを特徴とする色変換方法。
【請求項２】
請求項１記載の色変換方法において、
前記印刷物に前記保護膜を被覆するか否かに関する被覆態様を入力するステップをさらに備え、
前記色変換ステップでは、入力された前記被覆態様に応じた前記色変換用プロファイルを用いて色変換処理を行う
ことを特徴とする色変換方法。
【請求項３】
請求項２記載の色変換方法において、
前記所定のプロファイルは一の目標プロファイル及び一の印刷プロファイルであり、
前記生成ステップでは、前記一の印刷プロファイル及び前記変化情報に基づいて前記無被覆印刷物又は前記保護膜付印刷物のうち少なくとも一方に応じた印刷プロファイルを、前記色変換用プロファイルとして生成し、
前記色変換ステップでは、前記被覆態様に関わらず前記一の目標プロファイルを入力側プロファイルとして用いるとともに、前記被覆態様に応じた前記印刷プロファイルを出力側プロファイルとして用いて色変換処理を行う
ことを特徴とする色変換方法。
【請求項４】
請求項２記載の色変換方法において、
前記所定のプロファイルは一の目標プロファイル及び一の印刷プロファイルであり、
前記生成ステップでは、前記一の目標プロファイル及び前記変化情報に基づいて前記無被覆印刷物又は前記保護膜付印刷物のうち少なくとも一方に応じた目標プロファイルを、前記色変換用プロファイルとして生成し、
前記色変換ステップでは、前記被覆態様に応じた前記目標プロファイルを入力側プロファイルとして用いるとともに、前記被覆態様に関わらず前記一の印刷プロファイルを出力側プロファイルとして用いて色変換処理を行う
ことを特徴とする色変換方法。
【請求項５】
請求項３又は４に記載の色変換方法において、
前記保護膜付印刷物のガマットに基づいて前記一の目標プロファイルを補正するステップをさらに備える
ことを特徴とする色変換方法。
【請求項６】
請求項１〜５のいずれか１項に記載の色変換方法において、
前記保護膜の種類を入力するステップをさらに備え、
前記色変換ステップでは、入力された前記保護膜の種類に応じた前記色変換用プロファイルを用いて色変換処理を行う
ことを特徴とする色変換方法。
【請求項７】
印刷物に応じた所定のプロファイルを取得するステップと、
前記印刷物に保護膜を被覆する前後にわたるガマットの変化情報を取得するステップと、
前記保護膜を被覆しないで得られる無被覆印刷物のガマットが、前記所定のプロファイルを用いて印刷し前記保護膜を被覆して得られる保護膜付印刷物のガマットに一致するように、取得された前記所定のプロファイル及び前記変化情報に基づいて、前記無被覆印刷物又は前記保護膜付印刷物のうち少なくとも一方の色変換用プロファイルを生成する生成ステップと
をコンピュータに実行させることを特徴とするプロファイル生成方法。
【請求項８】
請求項７記載のプロファイル生成方法において、
前記変化情報には、色変換式、色変換パラメータ、色変換テーブル又は前記保護膜付印刷物のガマットのうち少なくとも１つが含まれる
ことを特徴とするプロファイル生成方法。
【請求項９】
請求項８記載のプロファイル生成方法において、
前記色変換テーブルは、前記所定のプロファイル及び前記保護膜付印刷物に応じた前記色変換用プロファイルがそれぞれ備える色変換テーブルを結合して得られる色変換テーブルである
ことを特徴とするプロファイル生成方法。
【請求項１０】
請求項７〜９のいずれか１項に記載のプロファイル生成方法において、
前記保護膜の種類を入力するステップをさらに備え、
前記生成ステップでは、入力された前記保護膜の種類に応じた前記色変換用プロファイルを生成する
ことを特徴とするプロファイル生成方法。
【請求項１１】
請求項１〜６のいずれか１項に記載の色変換方法を用いて、前記無被覆印刷物又は前記保護膜付印刷物のうち少なくとも一方の印刷に用いる印刷データに対して色変換処理を行う色変換処理部を有することを特徴とする色変換装置。
【請求項１２】
請求項７〜１０のいずれか１項に記載のプロファイル生成方法を用いて、前記無被覆印刷物又は前記保護膜付印刷物のうち少なくとも一方の印刷に用いる前記色変換用プロファイルを生成するプロファイル生成部を有することを特徴とするプロファイル生成装置。
【請求項１３】
コンピュータを、
印刷物に応じた所定のプロファイルを取得する手段、
前記印刷物に保護膜を被覆する前後にわたるガマットの変化情報を取得する手段、
取得された前記所定のプロファイル及び前記変化情報に基づいて、前記保護膜を被覆しないで得られる無被覆印刷物又は前記保護膜を被覆して得られる保護膜付印刷物のうち少なくとも一方に応じた色変換用プロファイルを生成する手段、
前記所定のプロファイルを用いて印刷し得られる前記保護膜付印刷物のガマットが、前記無被覆印刷物のガマットに一致するように、生成された前記色変換用プロファイルを用いて、前記無被覆印刷物又は前記保護膜付印刷物のうち少なくとも一方の色変換処理を行う手段
として機能させることを特徴とするプログラム。
【請求項１４】
コンピュータを、
印刷物に応じた所定のプロファイルを取得する手段、
前記印刷物に保護膜を被覆する前後にわたるガマットの変化情報を取得する手段、
前記保護膜を被覆しないで得られる無被覆印刷物のガマットが、前記所定のプロファイルを用いて印刷し前記保護膜を被覆して得られる保護膜付印刷物のガマットに一致するように、取得された前記所定のプロファイル及び前記変化情報に基づいて、前記無被覆印刷物又は前記保護膜付印刷物のうち少なくとも一方のプロファイルを生成する手段
として機能させることを特徴とするプログラム。
【請求項１５】
請求項１〜６のいずれか１項に記載の色変換方法を用いて、前記無被覆印刷物としての第１印刷物を印刷データに基づき印刷するステップと、
印刷された前記第１印刷物の色再現評価に基づいて前記印刷データの色値を補正するステップと、
前記色変換方法を用いて、前記保護膜を被覆しようとする第２印刷物を補正された前記印刷データに基づき印刷するステップと、
印刷された前記第２印刷物に前記保護膜を被覆するステップと
を備えることを特徴とする印刷物生産方法。
【発明の詳細な説明】
【技術分野】
【０００１】
この発明は、保護膜を被覆しない印刷物に対し、又は該印刷物に前記保護膜を被覆させて得られる保護膜付印刷物に対して適切な色変換処理を行うための色変換方法、プロファイル生成方法、色変換装置、プロファイル生成装置及びプログラム並びにその色変換方法を用いた印刷物生産方法に関する。
【背景技術】
【０００２】
近年のインクジェット技術の飛躍的進歩に伴い、インクジェット方式の印刷機による高速・高画質を両立したカラー大判印刷が可能になりつつある。この印刷機は、個人的・家庭的用途だけでなく、最近では、特に商業用途において幅広い分野で用いられている。この印刷機を用いることにより、例えば、店頭ＰＯＰ（Ｐｏｉｎｔ  ｏｆ  Ｐｕｒｃｈａｓｅ）や壁面ポスターのみならず、屋外広告・看板等の大サイズメディア、ロールメディア、厚手の硬質メディアに対しても印刷が可能である。
【０００３】
このような多様な商業的需要に応えるため、印刷に用いられる印刷媒体（以下「メディア」という場合がある。）も多種多彩である。例えば、合成紙・厚紙・アルミ蒸着紙等の紙類、塩化ビニル・ＰＥＴ等の樹脂、繊維織物の両面に合成樹脂フイルムを貼り合わせたターポリン等が用いられる。
【０００４】
広告印刷には需要者の視覚を通じてその購買意欲を喚起させる効果が期待されることから、印刷物（印刷された印刷媒体）の色の仕上がりは特に重要である。従来から、印刷物の色管理手段として、ＩＣＣ（Ｉｎｔｅｒｎａｔｉｏｎａｌ  Ｃｏｌｏｒ  Ｃｏｎｓｏｒｔｉｕｍ）プロファイルの作成方法や、指定色の調整方法等の様々なカラーマッチング技術が多数開示されている。
【０００５】
例えば、特許文献１には、標準用紙及びユーザ用紙のプリンタプロファイルからそれぞれの色変換テーブルを抽出し、標準用紙及びユーザ用紙の色変換テーブルを合成した新たな色変換テーブルを用いることで、ユーザ用紙の特性に合致した色変換を行うための装置や方法が開示されている。
【０００６】
また、特許文献２には、印刷物の分光データ及び複数の光源分光データを独立に記憶しておき、観察光源を設定する都度その光源に適切なプロファイルを作成する方法及び装置が開示されている。これにより、測色の作業工数を少なくして各観察光源に対応するプロファイルを作成可能であり、観察光源に応じた適切な印刷物の色管理を行うことができる旨が記載されている。
【先行技術文献】
【特許文献】
【０００７】
【特許文献１】特開２００８−１５３８１０号公報
【特許文献２】特開２００７−８１５８６号公報
【発明の概要】
【発明が解決しようとする課題】
【０００８】
例えば、インクジェット方式の印刷機により得られる印刷物は、画像の耐久性の観点から、特に擦過性・堅牢性の性能が脆弱となるため、厳しい環境下でその使用に堪えない場合がある。そこで、印刷物の画像形成面上に、紫外線吸収材の添加やエンボス加工等の機能的処理が施されたラミネートフイルム等の保護膜を被覆することにより、その画像の耐久性を向上させている。この得られた印刷物を、以下「保護膜付印刷物」という。
【０００９】
ところで、本発明者の調査・研究結果によれば、保護膜の被覆により、その被覆前と比較して、特にシャドー部におけるガマットが縮小する傾向があることが見出された。すなわち、同一の印刷物であっても、保護膜を被覆するか否かに応じて、色の見え方が観察者にとって無視できない程度に変化する場合がある。このため、保護膜を被覆せずに色調整を行うと、保護膜付印刷物の色の仕上がりが目論見と合致しないという問題が顕在化している。
【００１０】
しかしながら、特許文献１及び２に開示された方法及び装置では、メディアや観察光源の差異を考慮しているにすぎず、保護膜の影響度に関して一切考慮されていなかった。
【００１１】
また、保護膜の被覆に際し、樹脂フイルムの熱圧着のような比較的容易な加工処理でなく、液体ラミネート加工やニス加工等、特殊な加工処理を要する場合がある。典型的な印刷サイトには特殊なラミネート処理装置が設置されていないので、印刷業者は、専門業者に外注加工を依頼しなければならない。このとき、印刷物の搬出、ラミネート処理、保護膜付印刷物の搬入等の別途の作業や、日程調整や作業待ち時間等の別途の時間を要する。このため、印刷物の形成後に、作業者が即時に、ラミネート処理を施した状態下での印刷色を確認できないという不都合があった。
【００１２】
本発明は上記した問題を解決するためになされたもので、保護膜付印刷物の色調整作業に要する工数を大幅に低減可能である色変換方法、プロファイル生成方法、色変換装置、プロファイル生成装置及びプログラム並びにその色変換方法を用いた印刷物生産方法を提供することを目的とする。
【課題を解決するための手段】
【００１３】
本発明に係る色変換方法は、印刷物に応じた所定のプロファイルを取得するステップと、前記印刷物に保護膜を被覆する前後にわたるガマットの変化情報を取得するステップと、前記保護膜を被覆しないで得られる無被覆印刷物のガマットが、前記所定のプロファイルを用いて印刷し前記保護膜を被覆して得られる保護膜付印刷物のガマットに一致するように、取得された前記所定のプロファイル及び前記変化情報に基づいて、前記無被覆印刷物又は前記保護膜付印刷物のうち少なくとも一方の色変換処理を行う色変換ステップとを備える。
【００１４】
このように、保護膜を被覆しないで得られる無被覆印刷物のガマットが、保護膜を被覆して得られる保護膜付印刷物のガマットに一致するように、前記無被覆印刷物又は前記保護膜付印刷物のうち少なくとも一方の色変換処理を行うようにしたので、保護膜の被覆態様に関わらず、同一の色の印刷物（無被覆印刷物及び保護膜付印刷物）が得られる。これにより、印刷物に保護膜を被覆することなく保護膜付印刷物の色再現を確認することが可能であり、保護膜付印刷物の色調整作業に要する工数、具体的には、保護膜の被覆処理や印刷物の搬入・搬出等の工数を大幅に低減できる。
【００１５】
また、前記印刷物に前記保護膜を被覆するか否かに関する被覆態様を入力するステップをさらに備え、前記色変換ステップでは、入力された前記被覆態様に応じたプロファイルを用いて色変換処理を行うことが好ましい。これにより、保護膜の被覆の有無に応じた適切な色変換処理を施すことができる。
【００１６】
さらに、前記所定のプロファイル及び前記変化情報に基づいて前記無被覆印刷物又は前記保護膜付印刷物のうち少なくとも一方に応じたプロファイルを生成する生成ステップをさらに備えることが好ましい。これにより、印刷する都度にプロファイルを生成する必要がなくなる。
【００１７】
さらに、前記所定のプロファイルは一の目標プロファイル及び一の印刷プロファイルであり、前記生成ステップでは、前記一の印刷プロファイル及び前記変化情報に基づいて前記無被覆印刷物又は前記保護膜付印刷物のうち少なくとも一方に応じた印刷プロファイルを生成し、前記色変換ステップでは、前記被覆態様に関わらず前記一の目標プロファイルを入力側プロファイルとして用いるとともに、前記被覆態様に応じた印刷プロファイルを出力側プロファイルとして用いて色変換処理を行うことが好ましい。これにより、使用される目標プロファイルの総数を低減でき、データの管理が容易となる。
【００１８】
さらに、前記所定のプロファイルは一の目標プロファイル及び一の印刷プロファイルであり、前記生成ステップでは、前記一の目標プロファイル及び前記変化情報に基づいて前記無被覆印刷物又は前記保護膜付印刷物のうち少なくとも一方に応じた目標プロファイルを生成し、前記色変換ステップでは、前記被覆態様に応じた目標プロファイルを入力側プロファイルとして用いるとともに、前記被覆態様に関わらず前記一の印刷プロファイルを出力側プロファイルとして用いて色変換処理を行うことが好ましい。これにより、使用される印刷プロファイルの総数を低減でき、データの管理が容易となる。
【００１９】
さらに、前記保護膜付印刷物のガマットに基づいて前記一の目標プロファイルを補正するステップをさらに備えることが好ましい。
【００２０】
さらに、前記保護膜の種類を入力するステップをさらに備え、前記色変換ステップでは、入力された前記保護膜の種類に応じたプロファイルを用いて色変換処理を行うことが好ましい。
【００２１】
本発明に係るプロファイル生成方法は、印刷物に応じた所定のプロファイルを取得するステップと、前記印刷物に保護膜を被覆する前後にわたるガマットの変化情報を取得するステップと、前記保護膜を被覆しないで得られる無被覆印刷物のガマットが、前記所定のプロファイルを用いて印刷し前記保護膜を被覆して得られる保護膜付印刷物のガマットに一致するように、取得された前記所定のプロファイル及び前記変化情報に基づいて、前記無被覆印刷物又は前記保護膜付印刷物のうち少なくとも一方のプロファイルを生成する生成ステップとを備える。
【００２２】
また、前記変化情報には、色変換式、色変換パラメータ、色変換テーブル又は前記保護膜付印刷物のガマットのうち少なくとも１つが含まれることが好ましい。
【００２３】
さらに、前記色変換テーブルは、前記所定のプロファイル及び前記保護膜付印刷物に応じたプロファイルがそれぞれ備える色変換テーブルを結合して得られる色変換テーブルであることが好ましい。
【００２４】
さらに、前記保護膜の種類を入力するステップをさらに備え、前記生成ステップでは、入力された前記保護膜の種類に応じたプロファイルを生成することが好ましい。
【００２５】
本発明に係る色変換装置は、上記したいずれかの色変換方法を用いて、前記無被覆印刷物又は前記保護膜付印刷物のうち少なくとも一方の印刷に用いる印刷データに対して色変換処理を行う色変換処理部を有する。
【００２６】
本発明に係るプロファイル生成装置は、上記したいずれかのプロファイル生成方法を用いて、前記無被覆印刷物又は前記保護膜付印刷物のうち少なくとも一方の印刷に用いるプロファイルを生成するプロファイル生成部を有する。
【００２７】
本発明に係るプログラムは、コンピュータを、印刷物に応じた所定のプロファイルを取得する手段、前記印刷物に保護膜を被覆する前後にわたるガマットの変化情報を取得する手段、前記保護膜を被覆しないで得られる無被覆印刷物のガマットが、前記所定のプロファイルを用いて印刷し前記保護膜を被覆して得られる保護膜付印刷物のガマットに一致するように、取得された前記所定のプロファイル及び前記変化情報に基づいて、前記無被覆印刷物又は前記保護膜付印刷物のうち少なくとも一方の色変換処理を行う手段として機能させる。
【００２８】
本発明に係るプログラムは、コンピュータを、印刷物に応じた所定のプロファイルを取得する手段、前記印刷物に保護膜を被覆する前後にわたるガマットの変化情報を取得する手段、前記保護膜を被覆しないで得られる無被覆印刷物のガマットが、前記所定のプロファイルを用いて印刷し前記保護膜を被覆して得られる保護膜付印刷物のガマットに一致するように、取得された前記所定のプロファイル及び前記変化情報に基づいて、前記無被覆印刷物又は前記保護膜付印刷物のうち少なくとも一方のプロファイルを生成する手段として機能させる。
【００２９】
本発明に係る印刷物生産方法は、上記したいずれかの色変換方法を用いて、前記無被覆印刷物としての第１印刷物を印刷データに基づき印刷するステップと、印刷された前記第１印刷物の色再現評価に基づいて前記印刷データの色値を補正するステップと、前記色変換方法を用いて、前記保護膜を被覆しようとする第２印刷物を補正された前記印刷データに基づき印刷するステップと、印刷された前記第２印刷物に前記保護膜を被覆するステップとを備える。
【発明の効果】
【００３０】
本発明に係る色変換方法、色変換装置及びプログラムによれば、印刷物に応じた所定のプロファイルを取得し、前記印刷物に保護膜を被覆する前後にわたるガマットの変化情報を取得し、前記保護膜を被覆しないで得られる無被覆印刷物のガマットが、前記所定のプロファイルを用いて印刷し前記保護膜を被覆して得られる保護膜付印刷物のガマットに一致するように、取得された前記所定のプロファイル及び前記変化情報に基づいて前記無被覆印刷物又は前記保護膜付印刷物のうち少なくとも一方の色変換処理を行う。
【００３１】
本発明に係るプロファイル生成方法、プロファイル生成装置及びプログラムによれば、印刷物に応じた所定のプロファイルを取得し、前記印刷物に保護膜を被覆する前後にわたるガマットの変化情報を取得し、前記保護膜を被覆しないで得られる無被覆印刷物のガマットが、前記所定のプロファイルを用いて印刷し前記保護膜を被覆して得られる保護膜付印刷物のガマットに一致するように、取得された前記所定のプロファイル及び前記変化情報に基づいて前記無被覆印刷物又は前記保護膜付印刷物のうち少なくとも一方のプロファイルを生成する。
【００３２】
本発明による印刷物生産方法によれば、上記した色変換方法を用いて、無被覆印刷物としての第１印刷物を印刷データに基づき印刷し、印刷された前記第１印刷物の色再現評価に基づいて前記印刷データの色値を補正し、前記色変換方法を用いて、前記保護膜を被覆しようとする第２印刷物を補正された前記印刷データに基づき印刷し、印刷された前記第２印刷物に前記保護膜を被覆する。
【００３３】
このように、保護膜を被覆しないで得られる無被覆印刷物のガマットが保護膜を被覆して得られる保護膜付印刷物のガマットに一致するように、前記無被覆印刷物の色変換処理を行うようにしたので、保護膜の被覆態様に関わらず、同一の色の印刷物（無被覆印刷物及び保護膜付印刷物）が得られる。これにより、印刷物に保護膜を被覆することなく保護膜付印刷物の色再現を確認することが可能であり、色調整作業の都度に保護膜付印刷物を形成するための作業工数、具体的には、保護膜の被覆処理や印刷物の搬入・搬出等の工数を大幅に低減できる。
【図面の簡単な説明】
【００３４】
【図１】第１実施形態に係る色変換装置（又はプロファイル生成装置）が組み込まれた印刷システムの斜視説明図である。
【図２】図１に示すカラーチャートの概略正面図である。
【図３】図１に示す画像処理装置の機能ブロック図である。
【図４】印刷物における印刷条件の設定画面の一例を示す図である。
【図５】ガマット一致印刷モードにおけるプロファイル生成画面の一例を示す図である。
【図６】図１に示す印刷システムを用いて適切な色の保護膜付印刷物又は無被覆印刷物を得るための第１のフローチャートである。
【図７】第１実施形態に係るプロファイルの生成方法に関するフローチャートである。
【図８】図８Ａは、最大ガマット、被覆時最大ガマット及び目標ガマットの配置関係の一例を示す説明図である。図８Ｂは、最大ガマット、被覆時最大ガマット、目標ガマット及び拡大された目標ガマットの配置関係の一例を示す説明図である。
【図９】図９Ａは、図６のステップＳ５Ａを経て形成された保護膜付印刷物の色変換処理を表す概略説明図である。図９Ｂは、図６のステップＳ６Ａを経て形成された無被覆印刷物の色変換処理を表す概略説明図である。
【図１０】図１に示す印刷システムを用いて適切な色の保護膜付印刷物又は無被覆印刷物を得るための第２のフローチャートである。
【図１１】第２実施形態に係るプロファイルの生成方法に関するフローチャートである。
【図１２】図１２Ａは、最大ガマット、被覆時最大ガマット及び目標ガマットの配置関係の一例を示す説明図である。図１２Ｂは、最大ガマット、被覆時最大ガマット及び補正ガマットの配置関係の一例を示す説明図である。図１２Ｃは、最大ガマット及び拡大された補正ガマットの配置関係の一例を示す説明図である。
【図１３】図１３Ａは、図１０のステップＳ５Ｂを経て形成された保護膜付印刷物の色変換処理を表す概略説明図である。図１３Ｂは、図１０のステップＳ６Ｂを経て形成された無被覆印刷物の色変換処理を表す概略説明図である。
【図１４】保護膜付印刷物の第１の色変換処理を表す概略説明図である。
【図１５】図１５Ａは、最大ガマット、被覆時最大ガマット及び目標ガマットの配置関係の一例を示す説明図である。図１５Ｂは、最大ガマット、目標ガマット及び拡大された目標ガマットの配置関係の一例を示す説明図である。図１５Ｃは、最大ガマット、拡大された補正ガマット及び補正された拡大ガマットの配置関係の一例を示す説明図である。
【図１６】保護膜付印刷物の第２の色変換処理を表す概略説明図である。
【図１７】無被覆印刷物の第１の色変換処理を表す概略説明図である。
【図１８】無被覆印刷物の第２の色変換処理を表す概略説明図である。
【図１９】無被覆印刷物の第３の色変換処理を表す概略説明図である。
【図２０】第３実施形態に係る色変換装置（又はプロファイル生成装置）が組み込まれた印刷システムの斜視説明図である。
【図２１】図２０に示す印刷システムを用いて適切な色の保護膜付印刷物を得るためのフローチャートである。
【図２２】図２２Ａは、図２１のステップＳ３Ｃを経て形成された印刷物の色変換処理を表す概略説明図である。図２２Ｂは、図２１のステップＳ９Ｃを経て形成された保護膜付印刷物の色変換処理を表す概略説明図である。
【発明を実施するための形態】
【００３５】
以下、本発明に係る色変換方法（又はプロファイル生成方法）についてそれを実施する色変換装置（又はプロファイル生成装置）及び印刷システムとの関係において好適な第１〜第３実施形態を挙げ、添付の図面を参照しながら詳細に説明する。
【００３６】
先ず、第１実施形態に係る印刷システム１０Ａについて、図１〜図９Ｂを参照しながら説明する。
【００３７】
図１は、第１実施形態に係る色変換装置（又はプロファイル生成装置）としての画像処理装置１６が組み込まれた印刷システム１０Ａの斜視説明図である。
【００３８】
印刷システム１０Ａは、ＬＡＮ１２と、編集装置１４と、画像処理装置１６と、印刷機１８と、ラミネート処理装置２０と、測色計２２とを基本的に備える。
【００３９】
ＬＡＮ１２は、イーサネット（登録商標）等の通信規格に基づいて構築されているネットワークである。編集装置１４と、画像処理装置１６と、データベースＤＢとは、前記ＬＡＮ１２を介して有線又は無線により相互に接続されている。
【００４０】
編集装置１４は、文字、図形、絵柄や写真等から構成されるカラー画像の配置をページ毎に編集が自在であり、ページ記述言語（以下、ＰＤＬという。）による電子原稿（印刷データ）、例えば、４色（ＣＭＹＫ）や３色（ＲＧＢ）のカラーチャンネルからなる８ビット画像データを生成する。
【００４１】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００４２】
また、編集装置１４には図示しないカラースキャナが接続されており、該カラースキャナは、所定の位置にセットされたカラー原稿を光学的に読み取ることができ、前記電子原稿の構成要素となるカラー画像データを取得可能である。
【００４３】
画像処理装置１６は、電子原稿のＰＤＬ形式をラスタ形式（例えば、ビットマップやＴＩＦＦ）に展開し、所望の画像処理、例えば、色変換処理、画像拡縮処理や配置処理等を行い、印刷機１８の印刷方式に適した印刷制御信号に変換し、前記印刷機１８に前記印刷制御信号を送信する各機能を有している。
【００４４】
また、画像処理装置１６は、ＣＰＵ・メモリ等を有する本体２４と、カラー画像を表示する表示装置２６と、入力部としての入力装置２８（キーボード３０及びマウス３２）を備えている。さらに、画像処理装置１６には、電子データの記録・消去が自在な可搬型メモリ３４や測色計２２が接続されている。
【００４５】
印刷機１８は、Ｃ、Ｍ、Ｙ、Ｋの各色（プロセスカラー）からなる標準インクと、ＬＣ、ＬＭ等の淡色やＷ（白色）等のオプションインクとを組み合わせてカラー画像を形成するインクジェット方式の印刷装置である。この印刷機１８は、外部（例えば、画像処理装置１６）から受信した印刷制御信号に基づいて各色のインクの射出制御を行うことにより、印刷媒体としてのメディア３６（図１では、ロール状の未印刷のメディア３６）上にカラー画像を印刷し、印刷物３８（印刷物３８の一種であるカラーチャート３８ｃが含まれる。）を形成する。
【００４６】
ラミネート処理装置２０は、印刷物３８の画像形成面上に、必要に応じて更にその裏面に、保護膜としてのラミネートフイルム４０を貼付させた状態で、図示しない加熱ローラを用いて加熱・加圧処理を施すことにより、印刷物３８の画像形成面が保護された保護膜付印刷物４２を形成する。
【００４７】
なお、印刷物３８の最終生成物として、該印刷物３８にラミネートフイルム４０を被覆しない場合もあり得る。そこで、保護膜付印刷物４２の形成過程で得られる印刷物３８と明確に区別するため、最終生成物としての印刷物３８を無被覆印刷物４３という場合がある。
【００４８】
メディア３６の基材には、合成紙・厚紙・アルミ蒸着紙等の紙類、塩化ビニル・ＰＥＴ等の樹脂やターポリン等を用いることができる。保護膜には、ラミネートフイルム４０に限られず、液体、ニス、透明インク、クリアトナー、並びにアクリル板等の保護板等を用いることができる。
【００４９】
測色計２２は、測色により測定対象物の色値を取得する。ここで色値とは、三刺激値ＸＹＺ、均等色空間の座標値Ｌ*ａ*ｂ*等のみならず、波長に対する光学物理量の分布（以下、「分光データ」という。）、例えば、分光放射分布、分光感度分布、分光反射率又は分光透過率が含まれる。
【００５０】
図２は、図１に示すカラーチャート３８ｃの概略正面図である。
【００５１】
カラーチャート３８ｃは、メディア３６上に印刷された、色の異なる１００個の略同形状のカラーパッチ４４と、該カラーパッチ４４の行方向及び列方向の配列位置を特定する数字列４６及びアルファベット文字列４８と、前記カラーチャート３８ｃの印刷条件を識別する情報からなる印刷情報５０とから構成される。
【００５２】
各カラーパッチ４４は、縦方向には１０個のカラーパッチ４４が隙間なく配置され、横方向には１０個のカラーパッチ４４が所定間隔の隙間を設けながら配置されている。各カラーパッチ４４の色は、ＣＭＹＫ値の各信号レベルの範囲（百分率では０％〜１００％、８ビット階調である場合は０〜２５５）の所定の値が設定されている。
【００５３】
数字列４６は、上から順に（０１）〜（１０）の文字列として、各カラーパッチ４４の左方部にその位置に対応するように設けられている。一方、アルファベット文字列４８は、左から順番に（Ａ）〜（Ｊ）の文字列として、各カラーパッチ４４の上方部にその位置に対応するように設けられている。
【００５４】
印刷情報５０には、印刷機１８の機種、シリアル番号若しくは登録名、後述する印刷モード、メディア３６の種類、印刷日時等が印刷されている。
【００５５】
図３は、図１に示す画像処理装置１６の機能ブロック図である。なお、電子原稿は白抜実線矢印の方向に、カラーチャート３８ｃ用の画像データは白抜破線矢印の方向に、その他の各種データは実線矢印の方向にそれぞれ供給されることを表す。
【００５６】
画像処理装置１６の本体２４は、編集装置１４側から供給される電子原稿を入力するＩ／Ｆ５２と、該Ｉ／Ｆ５２を介して供給された電子原稿のＰＤＬ形式をラスタ形式に展開するＲＩＰ５４（ラスタイメージングプロセッサ）と、該ＲＩＰ５４により展開された電子原稿のＣＭＹＫ値（あるいはＲＧＢ値）に対して所定の色変換処理を施して新たなＣＭＹＫ値の画像データを得る色変換処理部５６と、該色変換処理部５６により色変換されて得られた新たなＣＭＹＫ値の画像データを印刷機１８に適した印刷制御信号（インク射出制御データ）に変換する印刷機ドライバ５８（印刷制御部）と、該印刷機ドライバ５８により変換された印刷制御信号を印刷機１８側に出力するＩ／Ｆ６０とを備える。
【００５７】
また、本体２４は、印刷物３８（最終生成物としての保護膜付印刷物４２又は無被覆印刷物４３）に適切な入力側プロファイル又は出力側プロファイルを生成するプロファイル生成部６２と、カラーチャート３８ｃを印刷するための画像データを生成する画像データ生成部６６と、印刷物３８に被覆する予定のラミネートフイルム４０の種類や被覆態様（被覆の有無）に関する情報（以下、ラミネート情報という。）を取得するラミネート情報取得部６８と、表示装置２６との接続を可能とするＩ／Ｆ７０と、入力装置２８（キーボード３０及びマウス３２）との接続を可能とするＩ／Ｆ７２と、測色計２２との接続を可能とするＩ／Ｆ７４と、可搬型メモリ３４との接続を可能とするＩ／Ｆ７６とを備える。
【００５８】
さらに、本体２４は、その内部の各構成要素から供給される各種データを記憶し、あるいは記憶している各種データを各構成要素に供給する記憶部７８を備えている。該記憶部７８は、ＲＩＰ５４と、後述するプロファイル選択部７９と、プロファイル生成部６２と、画像データ生成部６６と、ラミネート情報取得部６８と、Ｉ／Ｆ７０と、Ｉ／Ｆ７２と、Ｉ／Ｆ７４と、Ｉ／Ｆ７６とにそれぞれ接続されている。
【００５９】
なお、記憶部７８と色変換処理部５６との間に介在するプロファイル選択部７９は、ラミネート情報取得部６８から供給されたラミネート情報に基づいて、色変換処理に用いる入力側プロファイル及び出力側プロファイルをそれぞれ選択する。
【００６０】
色変換処理部５６は、デバイス依存データからデバイス非依存データに変換する入力側プロファイル処理部８０と、デバイス非依存データからデバイス依存データに変換する出力側プロファイル処理部８２とを備える。ここで、デバイス依存データとは、各種デバイスを適切に駆動するためのＣＭＹＫ値、ＲＧＢ値等で定義されるデータである。また、デバイス非依存データとは、ＨＳＶ（Ｈｕｅ−Ｓａｔｕｒａｔｉｏｎ−Ｖａｌｕｅ）、ＨＬＳ（Ｈｕｅ−Ｌｉｇｈｔｎｅｓｓ−Ｓａｔｕｒａｔｉｏｎ）、ＣＩＥＬＡＢ、ＣＩＥＬＵＶ、ＸＹＺ等の表色系で定義されるデータである。
【００６１】
さらに、プロファイル生成部６２は、必要に応じて各プロファイルを取得するプロファイル取得部８４と、ラミネートフイルム４０の被覆の前後にわたるガマットの変化情報（以下、単に「変化情報」という。）を取得する変化情報取得部８６と、所定の変換アルゴリズムに従ってガマットマッピングを行うガマットマッピング部８８と、各カラーパッチ４４に対応するデバイス依存データ（例えばＣＭＹＫ値）及び色値（例えばＬ*ａ*ｂ*値）に基づいて色変換テーブル（ＬＵＴ；Ｌｏｏｋ  Ｕｐ  Ｔａｂｌｅ）を作成するＬＵＴ作成部９０と、プロファイルが備える色変換テーブルを複数個結合して新たな色変換テーブルを生成するＬＵＴ結合部９２と、保護膜付印刷物４２のガマット（後述する被覆時最大ガマットＧL）に基づいて色変換テーブルを補正するＬＵＴ補正部９４とを備える。
【００６２】
さらに、ＲＩＰ５４は、電子原稿のラスタ形式化の際に、印刷機１８の解像度等に対応した画像拡縮処理や、印刷フォーマットに対応した回転・反転処理等の種々の画像処理を行うことができる。
【００６３】
さらに、印刷機ドライバ５８は、ＣＭＹＫ値からインク各色（ＣＭＹＫ、ＬＣ、ＬＭ、又はＷ）に対応するインク射出制御用データを作成する。このインク射出制御用データは、印刷機１８のインク射出動作（ＯＮ・ＯＦＦやインクドット径の大小等）との間でその印刷機１８固有のデータ定義に従って関連付けられている。その際、８ビット多階調画像から２値画像等の低階調画像への変換を要するが、ディザマトリクス法や誤差拡散法等の公知のアルゴリズムを用いることができる。
【００６４】
さらに、ＣＰＵ等で構成される制御部９６は、この画像処理に関するすべての制御を行う。すなわち、本体２４内部の各構成要素の制御（例えば、記憶部７８のデータ読出し・書込み）のみならず、Ｉ／Ｆ７０を介して表示装置２６に表示制御信号を送信する制御や、Ｉ／Ｆ７４を介して測色計２２から測色データを取得する制御等も含まれる。なお、制御部９６は、本体２４内の各部と電気的に接続されている。説明の便宜のため、接続の図示を省略している。
【００６５】
第１実施形態に係る画像処理装置１６は以上のように構成され、上述した各画像処理機能は、基本ソフトウェア（オペレーティングシステム）上で動作する、記憶部７８に記憶された応用ソフトウェア（プログラム）を用いて実現することができる。
【００６６】
なお、上記プログラムをコンピュータ読み取り可能な記録媒体（例えば、図１の可搬型メモリ３４）に記録して、この記録媒体に記録されたプログラムをコンピュータシステムに読み込ませ、実行させてもよい。なお、ここでいう「コンピュータシステム」とは、ＯＳや周辺機器等のハードウェアを含むものとする。コンピュータ読み取り可能な記録媒体とは、フレキシブルディスク、光磁気ディスク、ＲＯＭ、ＣＤ−ＲＯＭ等の可搬媒体、コンピュータシステムに内蔵されるハードディスク等の記憶装置である。コンピュータ読み取り可能な記録媒体には、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含む。
【００６７】
図４は、印刷物３８における印刷条件の設定画面の一例を示す図である。印刷物３８は、最終生成物としての保護膜付印刷物４２又は無被覆印刷物４３である。
【００６８】
設定画面１００は、上から順番に、２個のプルダウンメニュー１０２、１０４と、２個のラジオボタン１０６ａ、１０６ｂと、２個のラジオボタン１０８ａ、１０８ｂと、２個のラジオボタン１１０ａ、１１０ｂと、３個のラジオボタン１１２ａ、１１２ｂ、１１２ｃと、３個のプルダウンメニュー１１４、１１６、１１８と、［設定］、［中止］と表示されたボタン１２０、１２２とを備える。
【００６９】
２個のプルダウンメニュー１０２、１０４の左方には、「目標プロファイル名」及び「印刷プロファイル名」なる文字列がそれぞれ表示されている。２個のラジオボタン１０６ａ、１０６ｂの右方には、「自動」及び「手動」なる文字列がそれぞれ表示されている。２個のラジオボタン１０８ａ、１０８ｂの右方には、「あり」及び「なし」なる文字列がそれぞれ表示されている。２個のラジオボタン１１０ａ、１１０ｂの右方には、「ＯＮ」及び「ＯＦＦ」なる文字列がそれぞれ表示されている。３個のラジオボタン１１２ａ、１１２ｂ及び１１２ｃの右方には、「種類」、「入力側プロファイル」及び「出力側プロファイル」なる文字列がそれぞれ表示されている。３個のプルダウンメニュー１１４、１１６及び１１８の左方には、「ラミネート種類」、「入力側プロファイル名」及び「出力側プロファイル名」なる文字列がそれぞれ表示されている。
【００７０】
また、４個のラジオボタン１０６ａ、１０８ａ、１１０ａ及び１１２ａの左方には、「ラミネート情報取得方法」、「ラミネートの被覆」、「ガマット一致印刷モード」及び「ラミネート指定」なる文字列がそれぞれ表示されている。
【００７１】
図５は、ガマット一致印刷モードにおけるプロファイル生成画面の一例を示す図である。ここで、「ガマット一致印刷モード」とは、後述するように、ラミネートフイルム４０の被覆に伴うガマット縮小を見越し、無被覆印刷物４３のガマットを印刷物３８の最大ガマットよりも小さく設けることで、ラミネートフイルム４０の被覆態様に関わらず、同一のガマットの範囲内で印刷色を再現するモードである。以下、この印刷方法を「ガマット一致印刷」という場合がある。
【００７２】
設定画面１４０は、上から順番に、３個のラジオボタン１４２ａ、１４２ｂ、１４２ｃと、２個のプルダウンメニュー１４４、１４６と、２個のラジオボタン１４８ａ、１４８ｂと、２個のプルダウンメニュー１５０、１５２と、２個のテキストボックス１５４、１５６と、「保存」、「中止」と表示されたボタン１５８、１６０とを備える。
【００７３】
３個のラジオボタン１４２ａ〜１４２ｃの右方には、「入力／出力」、「入力のみ」及び「出力のみ」なる文字列がそれぞれ表示されている。２個のプルダウンメニュー１４４及び１４６の左方には、「目標プロファイル名」及び「印刷プロファイル名」なる文字列がそれぞれ表示されている。２個のラジオボタン１４８ａ、１４８ｂの右方には、「種類」及び「プロファイル」なる文字列がそれぞれ表示されている。２個のプルダウンメニュー１５０及び１５２の左方には、「ラミネート種類」及び「印刷プロファイル名（被覆あり）」なる文字列がそれぞれ表示されている。２個のテキストボックス１５４、１５６の左方には、「保存ファイル名（入力側）」及び「保存ファイル名（出力側）」なる文字列がそれぞれ表示されている。
【００７４】
第１実施形態に係る印刷システム１０Ａは、基本的には以上のように構成されるものであり、次にその動作について説明する。
【００７５】
図６は、印刷システム１０Ａを用いて適切な色の保護膜付印刷物４２又は無被覆印刷物４３を得るためのフローチャートである。主に図６及び図１を参照しながら説明する。
【００７６】
先ず、作業者は、形成しようとする保護膜付印刷物４２又は無被覆印刷物４３に関する印刷条件やその観察態様を調査する（ステップＳ１Ａ）。ここで、印刷条件には、印刷に使用する印刷機１８の種類、メディア３６の種類、上述したラミネート情報又は上述した印刷モード等が含まれる。また、観察態様には、観察光源としての光源の属性（種類、分光データ）のみならず、観察しようとする印刷物３８の画像種別も含まれる。この画像種別として、反射画像（反射光源を主光源とする画像）、透過画像（透過光源を主光源とする画像）、又は、混合画像（反射光源及び透過光源を主光源とする画像）が挙げられる。
【００７７】
次いで、作業者は、入力装置２８を用いた所定の操作指示をすることで、画像処理装置１６にプロファイルを取得させる（ステップＳ２Ａ）。通常、入力側プロファイル又は出力側プロファイルは、本体２４の記憶部７８（図３参照）に記憶されている。印刷機１８に適切なプロファイルが登録（記憶部７８に記憶）されていない場合は、その印刷物３８に応じたプロファイルを取得してもよい。一例として、作業者は、プロファイルのデータファイルが記憶された可搬型メモリ３４（図１参照）を準備し、該可搬型メモリ３４を画像処理装置１６の本体２４に接続する。そうすると、自動又は手動によりプロファイルのデータファイルが記憶部７８に新たに記憶される。また、データベースＤＢ（同参照）側に各データファイルを管理させておき、画像処理装置１６は、必要に応じて前記データベースＤＢから所望のプロファイルを取得できる構成であってもよい。例えば、プロファイル取得部８４（図３参照）は、データベースＤＢから、ＬＡＮ１２及びＩ／Ｆ５２を介してプロファイルを取得してもよい。
【００７８】
あるいは、画像処理装置１６が備えるプロファイル生成機能を用いて、印刷物３８に応じたプロファイルを新たに生成させてもよい。以下、ステップＳ２Ａにおけるプロファイルの生成方法について、図７のフローチャート及び図３の機能ブロック図を参照しながら詳細に説明する。
【００７９】
先ず、作業者は、入力装置２８を用いた所定の操作指示をすることで、印刷機１８にカラーチャート３８ｃを印刷させる（ステップＳ２１Ａ）。
【００８０】
作業者は、表示装置２６に表示された図示しない設定画面上からカラーチャート３８ｃの印刷の要求を行う。すると、図３に示すように、本体２４の画像データ生成部６６によりカラーチャート３８ｃを印刷するための画像データ（例えばＣＭＹＫ値）が生成される。このデバイス依存の画像データは、印刷機ドライバ５８（白抜破線矢印の向き）に供給され、印刷機ドライバ５８により印刷制御信号（すなわち、インク射出制御データ）に変換され、Ｉ／Ｆ６０を介して印刷機１８に供給され、印刷機１８により印刷処理がなされる。これにより、カラーチャート３８ｃ（図２参照）が印刷される。なお、各カラーパッチ４４の画素値に相当するＣＭＹＫ値データは、記憶部７８に予め記憶されており、画像データ生成部６６による画像データの生成前に記憶部７８から読み出される。
【００８１】
次いで、図７に戻って、作業者は、カラーチャート３８ｃの１回目の測色を行う（ステップＳ２２Ａ）。
【００８２】
作業者は、ラミネート処理装置２０によるラミネート処理を行わずに、画像処理装置１６に接続された測色計２２を用いて、カラーチャート３８ｃ（図２参照）の各カラーパッチ４４の色値を測定する。例えば、図２のように、数字列４６及びアルファベット文字列４８で示される（Ａ）列の（０１）〜（１０）、（Ｂ）列の（０１）〜（１０）のように、各カラーパッチ４４を測色する順番を予め決定しておくことが好ましい。作業者の操作に応じた測色完了の通知に基づいて、各カラーパッチ４４に対応する色値データが、Ｉ／Ｆ７４を介して、メディア３６の種類と関連付けて記憶部７８に保存される（図３参照）。
【００８３】
次いで、作業者は、入力装置２８を用いた所定の操作指示をすることで、画像処理装置１６にプロファイルＯＰFを生成させる（ステップＳ２３Ａ）。ここで、プロファイルＯＰFは、印刷機１８及びメディア３６の組合せにより得られる図８Ａのガマット１７０（以下、「最大ガマットＧF」という。）の範囲内の色を適切に印刷制御するための印刷プロファイルである。
【００８４】
作業者による入力装置２８の操作に応じて、ＬＵＴ作成部９０により、３次元データ（例えばＬ*ａ*ｂ*のデバイス非依存データ）を４次元データ（例えばＣＭＹＫのデバイス依存データ）に変換する色変換テーブル（すなわち、Ｂ２Ａテーブル）が作成される。あわせて、ＬＵＴ作成部９０により、４次元データを３次元データに変換する色変換テーブル（すなわち、Ａ２Ｂテーブル）が作成される。色変換テーブルは、１００個のカラーパッチ４４に応じた１００組の色値データ（Ｌ*ａ*ｂ*）及び１００組のＣＭＹＫ値データの対応関係に基づいて作成される。この色変換テーブルを含むプロファイルＯＰFは、データファイルとして記憶部７８に記憶される。
【００８５】
次いで、図７に戻って、作業者は、ラミネート処理装置２０を操作することで、カラーチャート３８ｃに対してラミネート処理を施させる（ステップＳ２４Ａ）。カラーチャート３８ｃは、その画像形成面上にラミネートフイルム４０が貼付され、ラミネート処理装置２０の図示しない加熱ローラにより加熱・加圧処理がなされる。これにより、印刷物３８にラミネートフイルム４０が被覆された保護膜付印刷物４２が得られる。
【００８６】
次いで、作業者は、ラミネートフイルム４０を被覆したカラーチャート３８ｃの２回目の測色を行う（ステップＳ２５Ａ）。このときの画像処理装置１６の動作はステップＳ２２Ａと同様であるので、その説明を省略する。
【００８７】
次いで、作業者は、入力装置２８を用いた所定の操作指示をすることで、画像処理装置１６にプロファイルＯＰLを生成させる（ステップＳ２６Ａ）。ここで、プロファイルＯＰLは、印刷機１８、メディア３６及びラミネートフイルム４０の組合せにより得られる図８Ａのガマット１７２（以下、「被覆時最大ガマットＧL」という。）の範囲内の色を適切に印刷制御するための印刷プロファイルである。なお、このときの画像処理装置１６の動作はステップＳ２３Ａと同様であるので、その説明を省略する。
【００８８】
次いで、作業者は、入力装置２８を用いた所定の操作指示をすることで、画像処理装置１６にステップＳ２７Ａ〜Ｓ２９Ａを実行させる。
【００８９】
作業者は、マウス３２を用いて、図５の設定画面１４０上で、生成しようとするプロファイルの種類に応じたラジオボタン１４２ａ〜１４２ｃのいずれか１つ（図５例では「出力のみ」のラジオボタン１４２ｃ）を選択する。また、作業者は、印刷に用いる目標プロファイル（ターゲットプロファイル）のファイル名（図５例では「ＪａｐａｎＣｏｌｏｒ２００７」）を選択し、プルダウンメニュー１４４に入力する。この目標プロファイルには、種々のＩＣＣプロファイルを選択することができる。例えば、「ｓＲＧＢ」、「Ａｄｏｂｅ  ＲＧＢ」、「Ｊａｐａｎ  Ｃｏｌｏｒ」、「ＩＳＯ  ｃｏａｔｅｄ」等を用いてもよい。
【００９０】
さらに、作業者は、ステップＳ２３Ａ（図７参照）で生成されたプロファイルＯＰFのファイル名（図５例では「ＰｒｉｎｔｅｒＰｒｏｆｉｌｅ−１」）を選択し、プルダウンメニュー１４６に入力する。
【００９１】
さらに、作業者は、ラミネートフイルム４０の指定方法に応じたラジオボタン１４８ａ、１４８ｂのいずれか１つ（図５例では「プロファイル」のラジオボタン１４８ｂ）を選択する。さらに、作業者は、ステップＳ２６Ａ（図７参照）で生成されたプロファイルＯＰLのファイル名（図５例では「ＰｒｉｎｔｅｒＰｒｏｆｉｌｅ−２」）を選択し、プルダウンメニュー１５２に入力する。さらに、作業者は、保存しようとする出力プロファイル名（図５例では「ＯｕｔｐｕｔＰｒｏｆｉｌｅ」）をテキストボックス１５６に入力する。そして、作業者による［保存］ボタン１５８のクリック操作に応じて、画像処理装置１６の本体２４は、後述するステップＳ２７Ａ〜Ｓ２９Ａを実行する。なお、作業者による［中止］ボタン１６０のクリック操作に応じて、設定画面１４０上での操作が中止される。
【００９２】
先ず、図３に示す制御部９６は、変化情報取得部８６に拡大変化情報ＩｎｆｏＥｘを取得させる（ステップＳ２７Ａ）。拡大変化情報ＩｎｆｏＥｘは、被覆時最大ガマットＧL（図８Ａ参照）から最大ガマットＧFに拡大変換するための変化情報である。一方、ＩｎｆｏＳｈは、最大ガマットＧFから被覆時最大ガマットＧLに縮小変換するための変換情報である。すなわち、拡大変化情報ＩｎｆｏＥｘ及び縮小変化情報ＩｎｆｏＳｈは互いに逆変換の関係にある。本明細書中、拡大変化情報ＩｎｆｏＥｘ及び縮小変化情報ＩｎｆｏＳｈを総称して「変化情報Ｉｎｆｏ」という。
【００９３】
変化情報Ｉｎｆｏには、例えば、色変換式、色変換パラメータ、色変換テーブル、最大ガマットＧF、又は被覆時最大ガマットＧLのうちの少なくとも１つが含まれる。
【００９４】
第１実施形態では、拡大変化情報ＩｎｆｏＥｘを取得するため、プロファイルＯＰF（最大ガマットＧFの色再現に適した印刷プロファイル）及びプロファイルＯＰL（被覆時最大ガマットＧLの色再現に適した印刷プロファイル）が備える各色変換テーブルを結合する。
【００９５】
プロファイルＯＰFは、デバイス依存データＡからデバイス非依存データＢFに変換する色変換テーブル（Ａ２Ｂテーブル）を備える。その変換工程を模式的に（Ａ→ＢF）と表現する。一方、プロファイルＯＰLは、デバイス非依存データＢLからデバイス依存データＡに変換する色変換テーブル（Ｂ２Ａテーブル）を備える。その変換工程を模式的に（ＢL→Ａ）と表現する。
【００９６】
ＬＵＴ結合部９２により、変換工程（ＢL→Ａ）を表すＢ２Ａテーブルは、変換工程（Ａ→ＢF）を表すＡ２Ｂテーブルと結合され、ガマットを拡大する変換工程（ＢL→ＢF）を表す色変換テーブル（以下、拡大処理ＬＵＴという。）が生成される。この拡大処理ＬＵＴは、ラミネートフイルム４０の被覆に前後にわたる拡大変化情報ＩｎｆｏＥｘの一形態である。
【００９７】
次いで、制御部９６は、プロファイル取得部８４にプロファイルＩＰTを取得させる（ステップＳ２８Ａ）。ここで、プロファイルＩＰTは、色再現の目標とされる図８Ａのガマット１７４（以下、「目標ガマットＧT」という。）の範囲内の色を適切に入力制御するための目標プロファイルである。図５のプルダウンメニュー１４４で指定された目標プロファイル名は、本体２４側に入力され、該目標プロファイル名と対応付けられたプロファイルＩＰTを読み出すために参照される。そして、プロファイルＩＰTは、記憶部７８から読み出され、プロファイル取得部８４側に供給される。
【００９８】
最後に、制御部９６は、プロファイル生成部６２にプロファイルＯＰEFを生成させる（ステップＳ２９Ａ）。ここで、プロファイルＯＰEFは、図８Ｂのガマット１７６（以下、「拡大された目標ガマットＧT＊Ｌ-1」という。符号に関する説明は後述する。）の範囲内の色を適切に印刷制御するための印刷プロファイルである。そして、プロファイルＯＰEFは、ガマット一致印刷をさせる保護膜付印刷物４２に適切な印刷プロファイルである。換言すれば、プロファイルＯＰEFは、ラミネートフイルム４０の被覆前における中間生成物としての印刷物３８に適切な印刷プロファイルである。
【００９９】
ステップＳ２７Ａで取得された拡大変換ＬＵＴ（ＢL→ＢF）は、ＬＵＴ結合部９２により、プロファイルＯＰFが有する色変換テーブル（ＢF→Ａ）と結合され、ガマット一致印刷をさせる保護膜付印刷物４２に適切な色変換テーブル｛変換工程（ＢL→ＢF→Ａ）｝が作成される。そして、プロファイル生成部６２により、作成された前記色変換テーブルをデータの一部とする出力側プロファイルＯＰEFが生成される。そして、新たに生成されたプロファイルＯＰEFは、図５のテキストボックス１５６に示すデータファイル名で、記憶部７８により記憶される。
【０１００】
このようにして、画像処理装置１６にプロファイルを取得・生成させる（ステップＳ２Ａ）。
【０１０１】
図６に戻って、次いで、作業者は、入力装置２８を用いた所定の操作指示をすることで、印刷機１８に印刷条件を入力させる（ステップＳ３Ａ）。
【０１０２】
作業者は、印刷に用いるプロファイルＩＰTのファイル名（図４例では「ＪａｐａｎＣｏｌｏｒ２００７」）を選択し、マウス３２を用いて、図４の設定画面１００上のプルダウンメニュー１０２に入力する。また、作業者は、印刷に用いるプロファイルＯＰFのファイル名（図４例では「ＰｒｉｎｔｅｒＰｒｏｆｉｌｅ−１」）を選択し、プルダウンメニュー１０４に入力する。さらに、作業者は、ラミネート情報の取得方法に応じて、ラジオボタン１０６ａ、１０６ｂのいずれか１つ（図４例では「手動」のラジオボタン１０６ｂ）を選択する。
【０１０３】
ここで、「手動」とは、設定画面１００にラミネート情報を予め入力しておき、印刷物３８を印刷する都度そのラミネート情報を参照する方法をいう。一方、「自動」とは、電子原稿に紐付けられたジョブチケットやプロファイル等のタグ情報からラミネート情報を自動的に取得する方法をいう。
【０１０４】
さらに、作業者は、印刷物３８にラミネートフイルム４０を被覆するか否かに応じたラジオボタン１０８ａ、１０８ｂのいずれか１つ（図４例では「あり」のラジオボタン１０８ａ）を選択する。さらに、作業者は、ガマット一致印刷モードの適否に応じたラジオボタン１１０ａ、１１０ｂのいずれか１つ（図４例では「ＯＮ」のラジオボタン１１０ａ）を選択する。さらに、作業者は、ラミネートフイルム４０の指定方法に応じたラジオボタン１１２ａ、１１２ｂ、又は１１２ｃのいずれか１つ（図４例では「出力側プロファイル」のラジオボタン１１２ｃ）を選択する。
【０１０５】
さらに、作業者は、ステップＳ２７Ａ（図７参照）で生成されたプロファイルＯＰEFのファイル名（図４例では「ＯｕｔｐｕｔＰｒｏｆｉｌｅ」）を選択し、プルダウンメニュー１１８に入力する。なお、プルダウンメニュー１０４で選択されたプロファイルＩＰFを基に、図５の設定画面１４０を介して生成されたプロファイルのみ（例えば、プロファイルＯＰEF）を、設定画面１００のプルダウンメニュー１１８から選択可能にしてもよい。
【０１０６】
そして、作業者による［設定］ボタン１２０のクリック操作に応じて、設定画面１００から入力したラミネート情報は、本体２４側に入力され、記憶部７８により記憶される。なお、作業者による［中止］ボタン１２２のクリック操作に応じて、設定画面１００上での操作が中止される。
【０１０７】
次いで、ラジオボタン１０８ａ、１０８ｂを介して被覆態様（あり／なし）が本体２４側に入力・判別され（ステップＳ４Ａ）、印刷物３８（保護膜付印刷物４２又は無被覆印刷物４３）の印刷に用いる入力側プロファイル及び出力側プロファイルがそれぞれ選択される（ステップＳ５Ａ、Ｓ６Ａ）。ここで、ガマット一致印刷モードが「ＯＮ」（図４のラジオボタン１１０ａ）に選択されているので、ラミネートフイルム４０の被覆の有無に応じて異なる出力側プロファイルを印刷に用いる点に留意する。
【０１０８】
もし、印刷物３８にラミネートフイルム４０を被覆する場合は、入力側プロファイルをプロファイルＩＰTとし、出力側プロファイルをプロファイルＯＰEFとする（ステップＳ５Ａ）。一方、印刷物３８にラミネートフイルム４０を被覆しない場合は、入力側プロファイルをプロファイルＩＰTとし、出力側プロファイルをプロファイルＯＰFとする（ステップＳ６Ａ）。このように、ラミネートフイルム４０の被覆の有無に関わらず、入力側プロファイルとして同一のプロファイルＩＰTを用いる。これにより、使用される目標プロファイルの総数を低減でき、データの管理が容易となる。
【０１０９】
なお、ガマット一致印刷モードが「ＯＦＦ」（図４のラジオボタン１１０ｂ）に選択された場合は、ラミネートフイルム４０の被覆の有無に関わらず、ステップＳ６Ａに示す同一のプロファイルを用いる。すなわち、入力側プロファイルをプロファイルＩＰTとし、出力側プロファイルをプロファイルＯＰFとする。
【０１１０】
次いで、作業者は、入力装置２８を用いた所定の操作指示をすることで、印刷機１８に印刷物３８を印刷させる（ステップＳ７Ａ）。画像処理装置１６による画像処理の流れについて、図３の機能ブロック図を参照しながら説明する。
【０１１１】
編集装置１４から供給された電子原稿（ＰＤＬ形式）が、ＬＡＮ１２及びＩ／Ｆ５２を介して画像処理装置１６に入力されると、前記電子原稿は、ＲＩＰ５４によりそれぞれ８ビットＣＭＹＫ値のラスタ形式（デバイス依存の画像データ）に展開され、入力側プロファイル処理部８０によりＬ*ａ*ｂ*値（デバイス非依存の画像データ）に変換され、出力側プロファイル処理部８２によりＣＭＹＫ値（デバイス依存の画像データ）に変換され、印刷機ドライバ５８により印刷制御信号（すなわち、インク射出制御データ）に変換され、Ｉ／Ｆ６０を介して印刷機１８に供給される。その後、印刷機１８により所望の印刷物３８が印刷される。
【０１１２】
この動作の際、記憶部７８に予め記憶された複数の入力側プロファイル及び出力側プロファイルがプロファイル選択部７９側に供給され、該プロファイル選択部７９によりラミネート情報に応じたプロファイルが選択され、入力側プロファイル処理部８０及び出力側プロファイル処理部８２に供給される。
【０１１３】
印刷しようとする印刷物３８に関するラミネート情報は、ラミネート情報取得部６８により自動又は手動で取得された後、プロファイル選択部７９側に供給される。ラミネート情報は、「自動」（図４のラジオボタン１０６ａ）の場合は電子原稿に紐付けられたジョブチケットやプロファイル等のタグ情報から取得され、「手動」（図４のラジオボタン１０６ｂ）が選択された場合はステップＳ３Ａを経て予め記憶されている記憶部７８から取得される。
【０１１４】
第１実施形態の設定例では、出力側プロファイル名（例えば「ＯｕｔｐｕｔＰｒｏｆｉｌｅ」）の指定に応じて、ラミネートフイルム４０の光学的特性を加味した色変換テーブルを備えるプロファイルＯＰEFが選択される。すなわち、ラミネートフイルム４０が間接的に指定されている。
【０１１５】
次いで、作業者は、必要に応じて印刷物３８に対してラミネート処理を施させる（ステップＳ８Ａ）。これにより、画像の擦過性・堅牢性を向上させることができる。なお、ラミネート処理装置２０の動作等はステップＳ２４Ａ（図７参照）と同様であるから、詳細な説明を省略する。
【０１１６】
この結果、ステップＳ５Ａ（図６参照）を経て得られた保護膜付印刷物４２と、ステップＳ６Ａ（同参照）を経て得られた無被覆印刷物４３との色の見え方が略一致する。この動作原理について、図８Ａ〜図９Ｂを参照しながら詳細に説明する。
【０１１７】
以下、図９Ａ及び図９Ｂにおいて、Ａ１は電子原稿を表すデバイス依存データであり、Ａ２は印刷制御信号を表すデバイス依存データである。図８Ａ〜図９Ｂにおいて、ＧF、ＧL、ＧT、及びＧT＊Ｌ-1は、デバイス依存データ、保護膜付印刷物４２又は無被覆印刷物４３として色再現可能なガマットを表す。
【０１１８】
図９Ａは、図６のステップＳ５Ａを経て形成された保護膜付印刷物４２の色変換処理を表す概略説明図である。
【０１１９】
入力側プロファイル処理部８０は、第１変換部２００から構成されている。出力側プロファイル処理部８２は、拡大処理部２０２と第２変換部２０４とから構成されている。なお、出力側プロファイル処理部８２では１回のＬＵＴ演算処理が行われるが、本発明の技術的理解を容易にするため、拡大処理部２０２及び第２変換部２０４の各機能に分けてそれぞれ説明する。
【０１２０】
デバイス依存データＡ１は、第１変換部２００により、目標ガマットＧTの範囲内の色値を表すデバイス非依存データに変換される。ここで、目標ガマットＧTは、プロファイルＩＰTが備える色変換テーブルに応じて決定されるガマットである。第１実施形態において、説明の便宜のため、目標ガマットＧTは、被覆後最大ガマットＧLに包含される関係、すなわち、被覆後最大ガマットＧLの部分集合であるとする（図８Ａ参照）。
【０１２１】
その後、デバイス非依存データ（目標ガマットＧT）は、拡大処理部２０２により、拡大された目標ガマットＧT＊Ｌ-1の範囲内の色値を表すデバイス非依存データに変換される。ここで、拡大された目標ガマットＧT＊Ｌ-1は、ラミネートフイルム４０の被覆に伴うガマット縮小効果を見越して、目標ガマットＧTの範囲内の色を再現する保護膜付印刷物４２を得るための、中間生成物としての印刷物３８のガマットである。
【０１２２】
なお、「＊Ｌ-1」は、ラミネートフイルム４０の被覆前後によるガマット拡大変化を表す演算子である。同様に、後述する「＊Ｌ」は、ラミネートフイルム４０の被覆前後によるガマット縮小変化を表す演算子である。
【０１２３】
その後、デバイス依存データ（拡大された目標ガマットＧT＊Ｌ-1）は、第２変換部２０４により、デバイス依存データＡ２に変換される。デバイス依存データＡ２は、適切な色の印刷物３８を印刷機１８に印刷させるための印刷データとして用いられる。印刷された印刷物３８は、拡大された目標ガマットＧT＊Ｌ-1の範囲内の色を再現する。
【０１２４】
そして、ラミネート処理装置２０を用いて、印刷物３８にラミネートフイルム４０を被覆させた保護膜付印刷物４２が得られる。このとき、保護膜付印刷物４２のガマットは、ラミネートフイルム４０の被覆処理により、拡大された目標ガマットＧT＊Ｌ-1（印刷物３８のガマット）が所定の量（演算子「＊Ｌ」に相当する量）だけ縮小される。すなわち、保護膜付印刷物４２は、目標ガマットＧTの範囲内の色を再現する。
【０１２５】
一方、図９Ｂは、図６のステップＳ６Ａを経て形成された無被覆印刷物４３の色変換処理を表す概略説明図である。入力側プロファイル処理部８０は第１変換部２００から構成され、出力側プロファイル処理部８２は第２変換部２０４から構成されている。
【０１２６】
デバイス依存データＡ１は、第１変換部２００により、目標ガマットＧTの範囲内の色値を表すデバイス非依存データに変換される。その後、デバイス非依存データ（目標ガマットＧT）は、第２変換部２０４により、デバイス依存データＡ２に変換される。デバイス依存データＡ２は、適切な色の印刷物３８を印刷機１８に印刷させるための印刷データとして用いられる。印刷された印刷物３８は、目標ガマットＧTの範囲内の色を再現する。
【０１２７】
このように、ラミネートフイルム４０を被覆しないで得られる無被覆印刷物４３のガマットが保護膜付印刷物４２のガマット（目標ガマットＧT）に一致するように無被覆印刷物４３の色変換処理を行うようにしたので、ラミネートフイルム４０の被覆態様に関わらず、同一の色の印刷物（無被覆印刷物４３及び保護膜付印刷物４２）が得られる。
【０１２８】
続いて、第２実施形態に係る印刷システム１０Ｂについて、図１０〜図１９を参照しながら説明する。印刷システム１０Ｂは印刷システム１０Ａの構成（特に図１〜図５参照）と同様であるから、その説明を省略する。第２実施形態は、印刷システム１０Ａ（Ｂ）の動作方法が第１実施形態と異なっている。以下、詳細に説明する。
【０１２９】
図１０は、印刷システム１０Ｂを用いて適切な色の保護膜付印刷物４２又は無被覆印刷物４３を得るためのフローチャートである。主に図１を参照しながら説明する。
【０１３０】
先ず、作業者は、形成しようとする保護膜付印刷物４２又は無被覆印刷物４３に関する印刷条件やその観察態様を調査する（ステップＳ１Ｂ）。
【０１３１】
次いで、作業者は、入力装置２８を用いた所定の操作指示をすることで、画像処理装置１６にプロファイルを取得させる（ステップＳ２Ｂ）。印刷機１８に適切なプロファイルが登録（記憶部７８に記憶）されていない場合は、プロファイルを別途生成することができる。以下、ステップＳ２Ｂにおけるプロファイルの生成方法について、図１１のフローチャートを参照しながら詳細に説明する。
【０１３２】
作業者は、入力装置２８を用いた所定の操作指示をすることで、画像処理装置１６にステップＳ２１Ｂ〜Ｓ２６Ｂを実行させる。
【０１３３】
作業者は、図５の設定画面１４０上で、ラジオボタン１４２ｂ（入力のみ）を選択する。また、作業者は、プルダウンメニュー１４４で「ＪａｐａｎＣｏｌｏｒ２００７」（プロファイルＩＰT）を選択する。さらに、作業者は、プルダウンメニュー１４６で「ＰｒｉｎｔｅｒＰｒｏｆｉｌｅ−１」（プロファイルＯＰF）を選択する。さらに、作業者は、ラジオボタン１４８ａ（種類）を選択するとともに、プルダウンメニュー１５０で「マットＢ」を選択する。さらに、作業者は、保存しようとする出力側プロファイル名（図５例では「ＩｎｐｕｔＰｒｏｆｉｌｅ」）をテキストボックス１５４に入力する。そして、作業者による［保存］ボタン１５８のクリック操作に応じて、画像処理装置１６の本体２４は、後述するステップＳ２１Ｂ〜Ｓ２６Ｂを実行する。
【０１３４】
先ず、制御部９６は、プロファイル取得部８４にプロファイルＩＰTを取得させる（ステップＳ２１Ｂ）。図５のプルダウンメニュー１４４で指定された目標プロファイル名は、本体２４側に入力され、該目標プロファイル名と対応付けられたプロファイルＩＰTを読み出すために参照される。そして、プロファイルＩＰTは、記憶部７８から読み出され、プロファイル取得部８４側に供給される。
【０１３５】
次いで、制御部９６は、プロファイル取得部８４にプロファイルＯＰFを取得させる（ステップＳ２２Ｂ）。図５のプルダウンメニュー１４６で指定された印刷プロファイル名は、本体２４側に入力され、該印刷プロファイル名と対応付けられたプロファイルＯＰFを読み出すために参照される。そして、プロファイルＯＰFは、記憶部７８から読み出され、プロファイル取得部８４側に供給される。
【０１３６】
次いで、制御部９６は、変化情報取得部８６に変化情報Ｉｎｆｏを取得させる（ステップＳ２３Ｂ）。第２実施形態では、変化情報Ｉｎｆｏとして、拡大変化情報ＩｎｆｏＥｘ及び縮小変化情報ＩｎｆｏＳｈが用いられる。また、拡大変化情報ＩｎｆｏＥｘ（又は縮小変化情報ＩｎｆｏＳｈ）は、ガマット変換を表す変換式や変換パラメータである。以下、拡大変化情報ＩｎｆｏＥｘで表現される関数を「拡大変換関数」といい、縮小変化情報ＩｎｆｏＳｈで表現される関数を「縮小変換関数」という。ここで、拡大変換関数及び縮小変換関数は、線形関数又は非線形関数のいずれであってもよく、種々の数理モデルを適用できる。
【０１３７】
図５のプルダウンメニュー１５０で指定されたラミネートフイルム４０の種類は、本体２４側に入力され、該種類と対応付けられた変化情報Ｉｎｆｏを読み出すために参照される。そして、変化情報Ｉｎｆｏは、記憶部７８から読み出され、変化情報取得部８６側に供給される。
【０１３８】
次いで、制御部９６は、プロファイルＩＰTが備える色変換テーブルをＬＵＴ補正部９４に補正させる（ステップＳ２４Ｂ）。
【０１３９】
図８Ａに示すように、目標ガマットＧTが被覆後最大ガマットＧLの部分集合である場合、目標ガマットＧTの範囲内の任意の色は保護膜付印刷物４２上で再現され得る。しかし、図１２Ａのように、目標ガマットＧTがガマット１７８で表す領域である場合、目標ガマットＧTの範囲内の一部の色は保護膜付印刷物４２上で再現されない。そこで、被覆後最大ガマットＧLの範囲内の色に収まるように、目標ガマットＧTを予め補正してもよい。
【０１４０】
先ず、ステップＳ２１Ｂで取得されたプロファイルＩＰTの色変換テーブルを参照することで、目標ガマットＧTが取得される。次いで、ステップＳ２２Ｂで取得されたプロファイルＯＰFの色変換テーブルを参照することで、最大ガマットＧFが取得される。次いで、最大ガマットＧF及び縮小変換関数（縮小変化情報ＩｎｆｏＳｈ）を用いて、被覆時最大ガマットＧLが推定される。
【０１４１】
そして、ガマットマッピング部８８により、目標ガマットＧTから被覆時最大ガマットＧLへのガマットマッピングが施されることで、図１２Ｂのガマット１８０（以下、「補正ガマットＧC」という。）が得られる。この補正ガマットＧCは、ガマット一致印刷モードにおいて、保護膜付印刷物４２及び無被覆印刷物４３上で色再現しようとするガマットである。なお、ガマットマッピングには、公知のアルゴリズムを種々用いることができる。例えば、ＩＣＣプロファイルで定義されている「Ｐｅｒｃｅｐｔｕａｌ」、「Ｓａｔｕｌａｔｉｏｎ」、「Ａｂｓｏｌｕｔｅ  Ｃｏｌｏｒｍｅｔｒｉｃ」又は「Ｒｅｌａｔｉｖｅ  Ｃｏｌｏｒｍｅｔｒｉｃ」に準拠する手法を用いてマッピングを行ってもよい。
【０１４２】
次いで、制御部９６は、プロファイル生成部６２にプロファイルＩＰTCを生成させる（ステップＳ２５Ｂ）。ここで、プロファイルＩＰTCは、補正ガマットＧC（図１２Ｂ参照）の範囲内の色を適切に入力制御するための目標プロファイルである。
【０１４３】
プロファイルＩＰTは、デバイス依存データＡからデバイス非依存データＢTに変換する色変換テーブル（Ａ２Ｂテーブル）を備える。その変換工程を模式的に（Ａ→ＢT）と表現する。
【０１４４】
ＬＵＴ補正部９４により、変換工程（Ａ→ＢT）を表すＡ２Ｂテーブルは、前記ガマットマッピングの結果に応じて、変換工程（Ａ→ＢC）を表すＡ２Ｂテーブルに補正される。そして、プロファイル生成部６２により、補正された前記色変換テーブルをデータの一部とするプロファイルＩＰTCが生成される。そして、新たに生成されたプロファイルＩＰTCは、図５のテキストボックス１５４に示すデータファイル名（例えば、「ＩｎｐｕｔＰｒｏｆｉｌｅ（ｎ）」）で、記憶部７８により記憶される。
【０１４５】
最後に、制御部９６は、プロファイル生成部６２にプロファイルＩＰTCEを生成させる（ステップＳ２６Ｂ）。ここで、プロファイルＩＰTCEは、図１２Ｃのガマット１８２（以下、「拡大された補正ガマットＧC＊Ｌ-1」という。）の範囲内の色を適切に入力制御するための目標プロファイルである。そして、プロファイルＩＰTCEは、ガマット一致印刷をさせる保護膜付印刷物４２に適切な目標プロファイルである。換言すれば、プロファイルＩＰTCEは、ラミネートフイルム４０の被覆前における中間生成物としての印刷物３８に適切な目標プロファイルである。
【０１４６】
ステップＳ２５Ｂで作成された色変換テーブル（Ａ→ＢC）は、ＬＵＴ補正部９４により、拡大変換関数（拡大変化情報ＩｎｆｏＥｘ）を用いてさらに補正される。これにより、ガマット一致印刷をさせる保護膜付印刷物４２に適切な色変換テーブル｛変換工程（Ａ→ＧC→ＧC＊Ｌ-1）｝が作成される。そして、プロファイル生成部６２により、補正された前記色変換テーブルをデータの一部とするプロファイルＩＰTCEが生成される。そして、新たに生成されたプロファイルＩＰTCEは、図５のテキストボックス１５４に示すデータファイル名（例えば、「ＩｎｐｕｔＰｒｏｆｉｌｅ（ｃ）」）で、記憶部７８により記憶される。
【０１４７】
なお、図５の設定画面１４０上で、ラジオボタン１４２ａ（入力／出力）を選択した状態で［保存］ボタン１５８をクリックすると、入力側プロファイル及び出力側プロファイルが一時に生成された後、記憶部７８にそれぞれ記憶される。このときのデータファイル名には、テキストボックス１５４、１５６での入力情報が用いられる。
【０１４８】
このようにして、画像処理装置１６にプロファイルを取得・生成させる（ステップＳ２Ｂ）。
【０１４９】
図１０に戻って、次いで、作業者は、入力装置２８を用いた所定の操作指示をすることで、印刷機１８に印刷条件を入力させる（ステップＳ３Ｂ）。
【０１５０】
作業者は、印刷に用いるプロファイルＩＰTのファイル名（図４例では「ＪａｐａｎＣｏｌｏｒ２００７」）を選択し、マウス３２を用いて、図４の設定画面１００上のプルダウンメニュー１０２に入力する。また、作業者は、印刷に用いるプロファイルＯＰFのファイル名（図４例では「ＰｒｉｎｔｅｒＰｒｏｆｉｌｅ−１」）を選択し、プルダウンメニュー１０４に入力する。
【０１５１】
また、作業者は、ラジオボタン１１２ａ〜１１２ｃのうちラジオボタン１１２ｂ（入力側プロファイル）を選択するともに、印刷に用いる入力側プロファイル名（図４例では「ＩｎｐｕｔＰｒｏｆｉｌｅ」）をプルダウンメニュー１１６に入力する。そして、作業者による［設定］ボタン１２０のクリック操作に応じて、設定画面１００から入力したラミネート情報は、本体２４側に入力され、記憶部７８により記憶される。
【０１５２】
次いで、ラジオボタン１０８ａ、１０８ｂを介して被覆態様（あり／なし）が本体２４側に入力・判別され（ステップＳ４Ｂ）、印刷物３８（保護膜付印刷物４２又は無被覆印刷物４３）の印刷に用いる入力側プロファイル及び出力側プロファイルがそれぞれ選択される（ステップＳ５Ｂ、Ｓ６Ｂ）。ここで、ガマット一致印刷モードが「ＯＮ」（図４のラジオボタン１１０ａ）に選択されているので、ラミネートフイルム４０の被覆の有無に応じて異なる入力側プロファイルを印刷に用いる点に留意する。
【０１５３】
もし、印刷物３８にラミネートフイルム４０を被覆する場合は、入力側プロファイルをプロファイルＩＰTCE｛データファイル名：ＩｎｐｕｔＰｒｏｆｉｌｅ（ｃ）｝とし、出力側プロファイルをプロファイルＯＰFとする（ステップＳ５Ｂ）。一方、印刷物３８にラミネートフイルム４０を被覆しない場合は、入力側プロファイルをプロファイルＩＰTC｛データファイル名：ＩｎｐｕｔＰｒｏｆｉｌｅ（ｎ）｝とし、出力側プロファイルをプロファイルＯＰFとする（ステップＳ６Ｂ）。このように、ラミネートフイルム４０の被覆の有無に関わらず、出力側プロファイルとして同一のプロファイルＯＰFを用いる。これにより、使用される印刷プロファイルの総数を低減でき、データの管理が容易となる。
【０１５４】
なお、ガマット一致印刷モードが「ＯＦＦ」（図４のラジオボタン１１０ｂ）に選択された場合は、ラミネートフイルム４０の被覆の有無に関わらず、ステップＳ６Ｂに示す同一のプロファイル等を用いる。
【０１５５】
次いで、作業者は、入力装置２８を用いた所定の操作指示をすることで、印刷機１８に印刷物３８を印刷させる（ステップＳ７Ｂ）。次いで、作業者は、必要に応じて印刷物３８に対してラミネート処理を施させる（ステップＳ８Ｂ）。このときの印刷システム１０Ｂの動作は、第１実施形態（図６のステップＳ７Ａ及びＳ８Ａ）と同様であるから、詳細な説明を省略する。
【０１５６】
この結果、ステップＳ５Ｂ（図１０参照）を経て得られた保護膜付印刷物４２と、ステップＳ６Ｂ（同参照）を経て得られた無被覆印刷物４３との色の見え方が略一致する。この動作原理について、図１２Ａ〜図１３Ｂを参照しながら詳細に説明する。
【０１５７】
以下、図１３Ａ及び図１３Ｂにおいて、Ａ１は電子原稿を表すデバイス依存データであり、Ａ２は印刷制御信号を表すデバイス依存データである。図１２Ａ〜図１３Ｂにおいて、ＧF、ＧL、ＧT、ＧC、及びＧC＊Ｌ-1は、デバイス依存データ、保護膜付印刷物４２又は無被覆印刷物４３として色再現可能なガマットを表す。
【０１５８】
図１３Ａは、図１０のステップＳ５Ｂを経て形成された保護膜付印刷物４２の色変換処理を表す概略説明図である。
【０１５９】
入力側プロファイル処理部８０は、第１変換部２００と、調整処理部２０６と、拡大処理部２０２とから構成されている。出力側プロファイル処理部８２は、第２変換部２０４から構成されている。なお、入力側プロファイル処理部８０では１回のＬＵＴ演算処理が行われるが、本発明の技術的理解を容易にするため、第１変換部２００と、調整処理部２０６及び拡大処理部２０２の各機能に分けてそれぞれ説明する。
【０１６０】
デバイス依存データＡ１は、第１変換部２００により、目標ガマットＧTの範囲内の色値を表すデバイス非依存データに変換される。上述の通り、第２実施形態において、目標ガマットＧTは、被覆後最大ガマットＧLの部分集合でないものとする（図１２Ａ参照）。
【０１６１】
その後、デバイス非依存データ（目標ガマットＧT）は、調整処理部２０６により、補正ガマットＧCの範囲内の色値を表すデバイス非依存データに変換される。ここで、補正ガマットＧCは、目標ガマットＧTから被覆後最大ガマットＧLに所定のガマットマッピング処理を行うことで得られるガマットである。
【０１６２】
その後、デバイス依存データ（補正ガマットＧC）は、拡大処理部２０２により、拡大された補正ガマットＧT＊Ｌ-1の範囲内の色値を表すデバイス非依存データに変換される。ここで、拡大された補正ガマットＧC＊Ｌ-1は、ラミネートフイルム４０の被覆に伴うガマット縮小効果を見越して、補正ガマットＧCの範囲内の色を再現する保護膜付印刷物４２を得るための、中間生成物としての印刷物３８のガマットである。
【０１６３】
その後、デバイス非依存データ（拡大された補正ガマットＧC＊Ｌ-1）は、第２変換部２０４により、デバイス依存データＡ２に変換される。デバイス依存データＡ２は、適切な色の印刷物３８を印刷機１８に印刷させるための印刷データとして用いられる。印刷された印刷物３８は、拡大された補正ガマットＧC＊Ｌ-1の範囲内の色を再現する。
【０１６４】
そして、ラミネート処理装置２０を用いて、印刷物３８にラミネートフイルム４０を被覆させた保護膜付印刷物４２が得られる。このとき、保護膜付印刷物４２のガマットは、ラミネートフイルム４０の被覆処理により、拡大された補正ガマットＧC＊Ｌ-1（印刷物３８のガマット）が所定の量（演算子「＊Ｌ」に相当する量）だけ縮小される。すなわち、保護膜付印刷物４２は、補正ガマットＧCの範囲内の色を再現する。
【０１６５】
一方、図１３Ｂは、図１０のステップＳ６Ｂを経て形成された無被覆印刷物４３の色変換処理を表す概略説明図である。入力側プロファイル処理部８０は、第１変換部２００と、調整処理部２０６とから構成されている。出力側プロファイル処理部８２は、第２変換部２０４から構成されている。
【０１６６】
デバイス依存データＡ１は、第１変換部２００により、目標ガマットＧTの範囲内の色値を表すデバイス非依存データに変換される。その後、デバイス非依存データ（目標ガマットＧT）は、調整処理部２０６により、補正ガマットＧCの範囲内の色値を表すデバイス非依存データに変換される。その後、デバイス非依存データ（補正ガマットＧC）は、第２変換部２０４により、デバイス依存データＡ２に変換される。デバイス依存データＡ２は、適切な色の印刷物３８を印刷機１８に印刷させるための印刷データとして用いられる。印刷された印刷物３８は、補正ガマットＧCの範囲内の色を再現する。
【０１６７】
このように、ラミネートフイルム４０の被覆態様に応じて選択するプロファイルとして入力側プロファイルを用いてもよい。これにより、出力側プロファイルを用いた第１実施形態（図６参照）と同様の作用効果が得られる。
【０１６８】
なお、プロファイルの生成方法はこれらに限られず、種々の組合せを用いることができる。先ず、図１４〜図１６を参照しながら、保護膜付印刷物４２の色変換処理に適切な入力側プロファイル及び出力側プロファイルの選択方法について詳細に説明する。
【０１６９】
図１４に示すように、第１変換部２００、調整処理部２０６、拡大処理部２０２及び第２変換部２０４の順番で色変換処理を行う場合、以下の組合せで入力側プロファイル及び出力側プロファイルを選択することができる。
【０１７０】
色変換方法Ｍ１１では、入力側プロファイルとしてプロファイルＩＰTを用いるとともに、出力側プロファイルとしてプロファイルＯＰCEFを用いる。プロファイルＩＰTは、第１変換部２００での色変換処理を実行するための色変換テーブルを備える。出力側プロファイルＯＰCEFは、調整処理部２０６、拡大処理部２０２及び第２変換部２０４での色変換処理を一度に実行するための色変換テーブルを備える。
【０１７１】
色変換方法Ｍ１２では、入力側プロファイルとしてプロファイルＩＰTCを用いるとともに、出力側プロファイルとしてプロファイルＯＰEFを用いる。プロファイルＩＰTCは、第１変換部２００及び調整処理部２０６での色変換処理を一度に実行するための色変換テーブルを備える。出力側プロファイルＯＰEFは、拡大処理部２０２及び第２変換部２０４での色変換処理を一度に実行するための色変換テーブルを備える。
【０１７２】
色変換方法Ｍ１３では、入力側プロファイルとしてプロファイルＩＰTCEを用いるとともに、出力側プロファイルとしてプロファイルＯＰFを用いる。プロファイルＩＰTCEは、第１変換部２００、調整処理部２０６及び拡大処理部２０２での色変換処理を一度に実行するための色変換テーブルを備える。出力側プロファイルＯＰFは、第２変換部２０４での色変換処理を実行するための色変換テーブルを備える。なお、色変換方法Ｍ１３は、図１３Ａに示した色変換方法に対応する。
【０１７３】
また、図１４に示す各色変換処理の順番を適宜変更してもよい。最大ガマットＧF、被覆時最大ガマットＧL、及び目標ガマットＧTが、図１５Ａ（図１２Ａと同一の図である。）に示す配置関係にあるとする。
【０１７４】
拡大変化情報ＩｎｆｏＥｘが既知である場合、目標ガマットＧTからその拡大形状（図１５Ｂのガマット１８４に相当する。以下、「拡大された目標ガマットＧT＊Ｌ-1」という。）が予測される。その後、最大ガマットＧFの範囲内の色に収まるように、拡大された目標ガマットＧT＊Ｌ-1を補正してもよい。以下、ここで得られるガマット１８６（図１５Ｃのハッチング領域）を「補正された拡大ガマットＧC’＊Ｌ-1」という。
【０１７５】
補正された拡大ガマットＧC’＊Ｌ-1が得られるよう適切に色再現された印刷物３８に対して、ラミネートフイルム４０を被覆させる。すると、印刷物３８のガマットが所定の量（演算子「＊Ｌ」に相当する量）だけ縮小され、補正ガマットＧC’を備える保護膜付印刷物４２が形成される。この補正ガマットＧC’は、補正ガマットＧCに略一致する。
【０１７６】
この場合における、保護膜付印刷物４２を形成する際の色変換処理について説明する。図１６に示すように、第１変換部２００、拡大処理部２０２、調整処理部２０６及び第２変換部２０４の順番で色変換処理を行う場合、以下の組合せで入力側プロファイル及び出力側プロファイルを生成することができる。
【０１７７】
色変換方法Ｍ１４では、入力側プロファイルとしてプロファイルＩＰTを用いるとともに、出力側プロファイルとしてプロファイルＯＰECFを用いる。プロファイルＩＰTは、第１変換部２００での色変換処理を実行するための色変換テーブルを備える。出力側プロファイルＯＰECFは、拡大処理部２０２、調整処理部２０６及び第２変換部２０４での色変換処理を一度に実行するための色変換テーブルを備える。
【０１７８】
色変換方法Ｍ１５では、入力側プロファイルとしてプロファイルＩＰTEを用いるとともに、出力側プロファイルとしてプロファイルＯＰCFを用いる。プロファイルＩＰTEは、第１変換部２００及び拡大処理部２０２での色変換処理を一度に実行するための色変換テーブルを備える。出力側プロファイルＯＰCFは、調整処理部２０６及び第２変換部２０４での色変換処理を一度に実行するための色変換テーブルを備える。
【０１７９】
色変換方法Ｍ１６では、入力側プロファイルとしてプロファイルＩＰTEを用いるとともに、出力側プロファイルとしてプロファイルＯＰFを用いる。プロファイルＩＰTEは、第１変換部２００及び拡大処理部２０２での色変換処理を一度に実行するための色変換テーブルを備える。出力側プロファイルＯＰFは、第２変換部２０４での色変換処理を実行するための色変換テーブルを備える。本方法において、出力側プロファイル処理部８２は、予め指定されたレンダリングインテントに基づいて調整処理部２０６に相当する色変換処理を行う。なお、レンダリングインテントは、ＩＣＣで定義された変数であって、出力装置の色再現目的を決定する。
【０１８０】
色変換方法Ｍ１７では、入力側プロファイルとしてプロファイルＩＰTECを用いるとともに、出力側プロファイルとしてプロファイルＯＰFを用いる。プロファイルＩＰTECは、第１変換部２００、拡大処理部２０２及び調整処理部２０６での色変換処理を一度に実行するための色変換テーブルを備える。出力側プロファイルＯＰFは、第２変換部２０４での色変換処理を実行するための色変換テーブルを備える。
【０１８１】
すなわち、プロファイルＩＰTは、色再現の目標とされる目標ガマットＧT（図１５Ａ及び図１５Ｂ参照）の範囲内の色を適切に入力制御するための目標プロファイルである。また、プロファイルＩＰTEは、拡大された目標ガマットＧT＊Ｌ-1（図１５Ｂ及び図１５Ｃ参照）の範囲内の色を適切に入力制御するための目標プロファイルである。さらに、プロファイルＩＰTECは、補正された拡大ガマットＧC’＊Ｌ-1（図１５Ｃ参照）の範囲内の色を適切に入力制御するための目標プロファイルである。
【０１８２】
続いて、図１７〜図１９を参照しながら、無被覆印刷物４３の色変換処理に適切な入力側プロファイル及び出力側プロファイルの選択方法について詳細に説明する。
【０１８３】
図１７に示すように、第１変換部２００、調整処理部２０６及び第２変換部２０４の順番で色変換処理を行う場合、以下の組合せでプロファイルを用いることができる。
【０１８４】
色変換方法Ｍ２１では、入力側プロファイルとしてプロファイルＩＰTを用いるとともに、出力側プロファイルとしてプロファイルＯＰCFを用いる。プロファイルＩＰTは、第１変換部２００での色変換処理を実行するための色変換テーブルを備える。出力側プロファイルＯＰFは、調整処理部２０６及び第２変換部２０４での色変換処理を一度に実行するための色変換テーブルを備える。
【０１８５】
色変換方法Ｍ２２では、入力側プロファイルとしてプロファイルＩＰTCを用いるとともに、出力側プロファイルとしてプロファイルＯＰFを用いる。プロファイルＩＰTCは、第１変換部２００及び調整処理部２０６での色変換処理を一度に実行するための色変換テーブルを備える。出力側プロファイルＯＰFは、第２変換部２０４での色変換処理を実行するための色変換テーブルを備える。
【０１８６】
また、図１８に示すように、第１変換部２００、調整処理部２０６、拡大処理部２０２、縮小処理部２０８及び第２変換部２０４の順番で色変換処理を行うようにしてもよい。ここで、縮小処理部２０８は、ラミネートフイルム４０の被覆によるガマット縮小を再現する色変換処理部である。拡大処理部２０２及び縮小処理部２０８は相互に逆変換の関係にある。
【０１８７】
色変換方法Ｍ２３では、入力側プロファイルとしてプロファイルＩＰTCEを用いるとともに、出力側プロファイルとしてプロファイルＯＰSFを用いる。プロファイルＩＰTCEは、第１変換部２００、調整処理部２０６及び拡大処理部２０２での色変換処理を一度に実行するための色変換テーブルを備える。出力側プロファイルＯＰCFは、縮小処理部２０８及び第２変換部２０４での色変換処理を一度に実行するための色変換テーブルを備える。なお、プロファイルＯＰSFは、プロファイルＯＰLに一致する。
【０１８８】
例えば、保護膜付印刷物４２の形成の際に色変換方法Ｍ１７を用い、無被覆印刷物４３の形成の際に色変換方法Ｍ２３を用いる。この場合、入力側プロファイルとして共通のプロファイルＩＰTECを用いることができる。
【０１８９】
また、図１５Ａ〜図１５Ｃと同様に、調整処理部２０６の順番を変更してもちよい。第１変換部２００、拡大処理部２０２、調整処理部２０６、縮小処理部２０８及び第２変換部２０４の順番で色変換処理を行う場合、以下の組合せでプロファイルを用いることができる。
【０１９０】
図１９に示す色変換方法Ｍ２４では、入力側プロファイルとしてプロファイルＩＰTを用いるとともに、出力側プロファイルとしてプロファイルＯＰECSFを用いる。プロファイルＩＰTは、第１変換部２００での色変換処理を実行するための色変換テーブルを備える。出力側プロファイルＯＰECSFは、拡大処理部２０２、調整処理部２０６、縮小処理部２０８及び第２変換部２０４での色変換処理を一度に実行するための色変換テーブルを備える。
【０１９１】
色変換方法Ｍ２５では、入力側プロファイルとしてプロファイルＩＰTEを用いるとともに、出力側プロファイルとしてプロファイルＯＰCSFを用いる。プロファイルＩＰTEは、第１変換部２００及び拡大処理部２０２での色変換処理を一度に実行するための色変換テーブルを備える。出力側プロファイルＯＰCSFは、調整処理部２０６、縮小処理部２０８及び第２変換部２０４での色変換処理を一度に実行するための色変換テーブルを備える。
【０１９２】
色変換方法Ｍ２６では、入力側プロファイルとしてプロファイルＩＰTEを用いるとともに、出力側プロファイルとしてプロファイルＯＰSF（プロファイルＯＰLに相当する。）を用いる。プロファイルＩＰTEは、第１変換部２００及び拡大処理部２０２での色変換処理を一度に実行するための色変換テーブルを備える。出力側プロファイルＯＰSFは、縮小処理部２０８及び第２変換部２０４での色変換処理を一度に実行するための色変換テーブルを備える。本方法において、出力側プロファイル処理部８２は、予め指定されたレンダリングインテントに基づいて調整処理部２０６に相当する色変換処理を行う。
【０１９３】
色変換方法Ｍ２７では、入力側プロファイルとしてプロファイルＩＰTECを用いるとともに、出力側プロファイルとしてプロファイルＯＰSF（プロファイルＯＰLに相当する。）を用いる。プロファイルＩＰTECは、第１変換部２００、拡大処理部２０２及び調整処理部２０６での色変換処理を一度に実行するための色変換テーブルを備える。出力側プロファイルＯＰCSFは、縮小処理部２０８及び第２変換部２０４での色変換処理を一度に実行するための色変換テーブルを備える。
【０１９４】
色変換方法Ｍ２８では、入力側プロファイルとしてプロファイルＩＰTECSを用いるとともに、出力側プロファイルとしてプロファイルＯＰFを用いる。プロファイルＩＰTECSは、第１変換部２００、拡大処理部２０２、調整処理部２０６及び縮小処理部２０８での色変換処理を一度に実行するための色変換テーブルを備える。出力側プロファイルＯＰFは、第２変換部２０４での色変換処理を実行するための色変換テーブルを備える。
【０１９５】
このようにして、上記したいずれかの入力側プロファイル及び出力側プロファイルの組合せを選択し、色変換処理を施すようにしてもよい。
【０１９６】
例えば、ラミネートフイルム４０の被覆態様に関わらず所定の目標プロファイルを入力側プロファイルとして用いるとともに、ラミネートフイルム４０の被覆態様に応じたプロファイルを出力側プロファイルとして用いて色変換処理を行うようにしてもよい。
【０１９７】
例えば、色変換方法Ｍ１１と色変換方法Ｍ２１（又は色変換方法Ｍ２４）とを選択すれば、共通するプロファイルＩＰTを入力側プロファイルとして用いることができる。このとき、出力側プロファイルは、ラミネートフイルム４０の被覆態様に応じてプロファイルＯＰCEFとプロファイルＯＰCF（又はプロファイルＯＰECSF）のいずれかが選択される。
【０１９８】
また、色変換方法Ｍ１３と色変換方法Ｍ２２（又は色変換方法Ｍ２８）とを選択すれば、共通するプロファイルＯＰFを出力側プロファイルとして用いることができる。このとき、入力側プロファイルは、ラミネートフイルム４０の被覆態様に応じてプロファイルＩＰTCEとプロファイルＩＰTC（又はプロファイルＩＰTECS）のいずれかが選択される。
【０１９９】
続いて、第３実施形態に係る印刷システム１０Ｃについて、図２０〜図２２Ｂを参照しながら説明する。なお、印刷システム１０Ｃにおいて、第１実施形態に係る印刷システム１０Ａ（特に図１〜図５参照）と同じ構成要素については、同じ参照符号を付して、その詳細な説明を省略し、以下同様とする。
【０２００】
図２０は、第３実施形態に係る印刷システム１０Ｃの斜視説明図である。印刷機１８等の設置場所２２０と異なる他サイト２２２にラミネート処理装置２０が設置されている点で、印刷システム１０Ａの構成と異なっている。このラミネート処理装置２０は、印刷機１８により印刷された印刷物３８に対して、特殊な（例えば入手が困難で、高額な）ラミネートフイルム４０を被覆可能である。あるいは、ラミネート処理装置２０は、液体ラミネート加工やニス加工等の特殊なラミネート処理を施すことができる。
【０２０１】
その他の各構成要素については、第１実施形態の各構成（図２〜図５を参照）と同様であるから、その説明を省略する。第３実施形態に係る印刷システム１０Ｃは、基本的には以上のように構成されるものであり、次にその動作について説明する。
【０２０２】
図２１は、印刷システム１０Ｃを用いて適切な色の保護膜付印刷物４２を得るためのフローチャートである。
【０２０３】
先ず、作業者は、形成しようとする保護膜付印刷物４２に関する印刷条件やその観察態様を調査する（ステップＳ１Ｃ）。なお、第３実施形態では、印刷物３８にラミネートフイルム４０を被覆することを前提とする。
【０２０４】
次いで、作業者は、入力装置２８を用いた所定の操作指示をすることで、画像処理装置１６にプロファイルを取得させる（ステップＳ２Ｃ）。プロファイルの取得方法あるいは生成方法について、第１実施形態（図６のステップＳ２Ａ参照）又は第２実施形態（図１０のステップＳ２Ｂ参照）のどちらの方法を適用してもよい。
【０２０５】
次いで、作業者は、入力装置２８を用いた所定の操作指示をすることで、印刷機１８に印刷物３８を模擬印刷させる（ステップＳ３Ｃ）。ここで、「模擬印刷」とは、ラミネートフイルム４０の被覆結果を予測した上で、保護膜付印刷物４２の色再現状態を模擬して印刷物３８を印刷することをいう。なお、印刷システム１０Ｃの設置場所２２０でこの模擬印刷は行われる。
【０２０６】
図２２Ａは、保護膜付印刷物４２の色再現状態を模擬した印刷物３８の色変換処理を表す概略説明図である。本図は、図９Ｂ（第１実施形態）に示す構成と基本的には同一である。
【０２０７】
電子原稿のデータＡ１は、第１変換部２００によりデバイス非依存データ（目標ガマットＧT）に変換される。その後、デバイス非依存データ（目標ガマットＧT）は、第２変換部２０４により印刷制御信号のデータＡ２に変換され、印刷機１８に印刷させるための印刷データとして用いられる。印刷された無被覆印刷物４３は、目標ガマットＧTの範囲内の色を再現する。後述するように、この無被覆印刷物４３は、保護膜付印刷物４２の色を擬似的に再現している。
【０２０８】
なお、色変換方法は上記した方法に限られることなく、図１７〜図１９に示した色変換方法Ｍ２１〜Ｍ２８を用いてもよい。
【０２０９】
次いで、図２１に戻って、作業者は、印刷物３８のカラー画像の色を評価し（ステップＳ４Ｃ）、画像の色が適切か否かを判断する（ステップＳ５Ｃ）。所望の色合いが得られたか否かについての評価方法としては、画像の全体的外観又は部分的外観に着目し、作業者等の目視により良否を判断する方法、あるいは、測色計２２を用いて印刷物３８の所定の箇所を測色し、その値が所望の範囲内に収まるか否かで判断する方法等が使用される。
【０２１０】
この画像評価の結果、印刷物３８の画像の色が適切でないと判断された場合は、色の微調整を行う（ステップＳ６Ｃ）。この具体的方法としては、電子原稿の色補正、プロファイルの再選択・再生成や、プロファイルの微調整（現在選択されているプロファイルの補正）等が挙げられる。
【０２１１】
以下、印刷と評価を繰り返すことにより（ステップＳ２Ｃ〜Ｓ６Ｃ）、所望の色の印刷物３８が得られる。
【０２１２】
次いで、作業者は、入力装置２８を用いた所定の操作指示をすることで、印刷機１８に印刷物３８を本番印刷させる（ステップＳ７Ｃ）。ここで、「本番印刷」とは、ラミネートフイルム４０を被覆させるために印刷物３８を正式に印刷することをいう。
【０２１３】
図２２Ｂは、保護膜付印刷物４２を形成するための色変換処理を表す概略説明図である。本図は、図９Ａに示す構成と基本的には同一であるが、ラミネート処理装置２０の設置位置が他サイト２２２である点で異なる。
【０２１４】
電子原稿のデータＡ１は、第１変換部２００によりデバイス非依存データ（目標ガマットＧT）に変換される。その後、デバイス非依存データ（目標ガマットＧT）は、拡大処理部２０２によりデバイス非依存データ（拡大された目標ガマットＧT＊Ｌ-1）に変換される。その後、デバイス非依存データ（拡大された目標ガマットＧT＊Ｌ-1）は、第２変換部２０４により印刷制御信号のデータＡ２に変換され、印刷機１８に印刷させるための印刷データとして用いられる。印刷された印刷物３８は、拡大された目標ガマットＧT＊Ｌ-1の範囲内の色を再現する。
【０２１５】
なお、色変換方法は上記した方法に限られることなく、図１４及び図１６に示した色変換方法Ｍ１１〜Ｍ１７を用いてもよい。
【０２１６】
次いで、作業者は、ステップＳ７Ｃで印刷された印刷物３８を印刷システム１０Ｃの設置場所２２０から搬出する（ステップＳ８Ｃ）。印刷物３８は、ラミネート処理装置２０が設置された他サイト２２２に搬送される。
【０２１７】
次いで、作業者は、ラミネート処理装置２０を操作することで、印刷物３８に対してラミネート処理を施させる（ステップＳ９Ｃ）。図２２Ｂの右方部に示すように、保護膜付印刷物４２のガマットは、ラミネートフイルム４０の被覆処理により、拡大された目標ガマットＧT＊Ｌ-1（印刷物３８のガマット）が所定の量（演算子「＊Ｌ」に相当する量）だけ縮小されて、目標ガマットＧTに変化される。すなわち、ステップＳ５Ｃで色が適切と判断された印刷物３８と略同じ色再現がされた保護膜付印刷物４２が得られる。
【０２１８】
このように構成したので、印刷物３８にラミネートフイルム４０を被覆することなく保護膜付印刷物４２の色再現を確認することが可能であり、保護膜付印刷物４２の色調整作業に要する工数、具体的には、ラミネートフイルム４０の被覆処理や印刷物３８の搬入・搬出等の工数を大幅に低減できる。
【０２１９】
なお、この発明は、上述した実施形態に限定されるものではなく、この発明の主旨を逸脱しない範囲で自由に変更できることは勿論である。
【０２２０】
第１〜第３実施形態では、入力側プロファイル又は／及び出力側プロファイルを予め生成・記憶しておき、印刷の都度に記憶部７８から読み出す構成を採っている。例えば、図４のラジオボタン１１２ａ（種類）の選択に応じて、プロファイルＩＰT、プロファイルＯＰF及び変化情報Ｉｎｆｏに基づいて、印刷の都度に、プロファイル生成部６２に出力側／入力側プロファイルを生成（又は補正）させるようにしてもよい。これにより、プロファイル生成のための作業工数（ラミネートフイルム４０の被覆、カラーチャート３８ｃの測色等）を低減することができる。また、記憶部７８に記憶するデータファイル数（データ容量）を低減することもできる。
【０２２１】
また、第１〜第３実施形態では、印刷機１８がインクジェット方式である構成を採っているがこれに限定されることなく、電子写真、感熱方式等であっても本発明の作用効果を得ることができる。
【符号の説明】
【０２２２】
１０Ａ〜１０Ｃ…印刷システム              １４…編集装置
１６…画像処理装置                        １８…印刷機
２０…ラミネート処理装置                  ２２…測色計
２４…本体                                ２６…表示装置
２８…入力装置                            ３６…メディア
３８…印刷物                              ３８ｃ…カラーチャート
４０…ラミネートフイルム                  ４２…保護膜付印刷物
４３…無被覆印刷物                        ４４…カラーパッチ
５４…ＲＩＰ                              ５６…色変換処理部
５８…印刷機ドライバ                      ６２…プロファイル生成部
６６…画像データ生成部                    ６８…ラミネート情報取得部
７８…記憶部                              ７９…プロファイル選択部
８０…入力側プロファイル処理部            ８２…出力側プロファイル処理部
８４…プロファイル取得部                  ８６…変化情報取得部
８８…ガマットマッピング部                ９０…ＬＵＴ作成部
９２…ＬＵＴ結合部                        ９４…ＬＵＴ補正部
９６…制御部                              １００、１４０…設定画面
１７０、１７２、１７４、１７６、１７８、１８０、１８２、１８４、１８６…ガマット
２００…第１変換部                        ２０２…拡大処理部
２０４…第２変換部                        ２０６…調整処理部
２０８…縮小処理部                        ＧC、ＧC’…補正ガマット
ＧC＊Ｌ-1…拡大された補正ガマット         ＧF…最大ガマット
ＧL…被覆時最大ガマット                   ＧT…目標ガマット
【図１】
0005461324.tif 000002
【図２】
0005461324.tif 000003
【図３】
0005461324.tif 000004
【図４】
0005461324.tif 000005
【図５】
0005461324.tif 000006
【図６】
0005461324.tif 000007
【図７】
0005461324.tif 000008
【図８】
0005461324.tif 000009
【図９】
0005461324.tif 000010
【図１０】
0005461324.tif 000011
【図１１】
0005461324.tif 000012
【図１２】
0005461324.tif 000013
【図１３】
0005461324.tif 000014
【図１４】
0005461324.tif 000015
【図１５】
0005461324.tif 000016
【図１６】
0005461324.tif 000017
【図１７】
0005461324.tif 000018
【図１８】
0005461324.tif 000019
【図１９】
0005461324.tif 000020
【図２０】
0005461324.tif 000021
【図２１】
0005461324.tif 000022
【図２２】
0005461324.tif 000023